【手続補正書】
【提出日】令和3年6月9日(2021.6.9)
【手続補正１】
【補正対象書類名】明細書
【補正対象項目名】００６７
【補正方法】変更
【補正の内容】
【００６７】
本発明は、好ましい実施形態に関連して説明されてきたが、本発明の特徴および態様か
ら逸脱することなく、さまざまな修正を加えることが可能である。例えば、ポンプ３２は
シリンジであってよく、エンクロージャ１８は剛性ドームであってもよいし、或いはエン
クロージャ１８は振動素子４に取付けられてよく、そのために本発明の態様から逸脱する
ことはない。
本願は、以下の発明を包含する。
[１]
目に一定量の流体を送出するための装置において：
ハウジングと；
前記ハウジングに結合された流体エジェクタであって、複数の開口部を伴う振動素子を有し、該振動素子が流体側と送出側とを有し、前記複数の開口部が前記流体側から前記送出側まで延在している、前記振動素子が振動させられた時点で前記複数の開口部を通って前記流体側から前記送出側まで流体を駆出する流体エジェクタと；
を含む装置。
[２]
前記振動素子の前記流体側に隣接して位置付けされ、前記振動素子と共にチャンバを形成するエンクロージャ、
をさらに含み、
前記エンクロージャが、前記振動素子の前記流体側に隣接して位置付けされた唇状部を有する壁を含み、前記唇状部は前記複数の開口部の周囲に延在し、前記エンクロージャと前記振動素子が共に、送出されるべき一定量の流体を保持するチャンバを画定している、前記[１]に記載の装置。
[３]
前記エンクロージャおよび前記振動素子により形成された前記チャンバに対して流動的に結合された出口を有するポンプと；
前記ポンプに対して作動的に結合された第１のアクチュエータであって、前記第１のアクチュエータの起動が前記ポンプを活動化して、前記チャンバに前記流体量を送出させる、第１のアクチュエータと；
をさらに含む、前記[２]に記載の装置。
[４]
前記振動素子に作動的に結合された第２のアクチュエータをさらに含み、前記第２のアクチュエータの起動が、前記振動素子を振動させ、前記複数の開口部を通って前記流体を駆出させる、前記[１]に記載の装置。
[５]
前記流体量が単回用量で送出される場合、前記エンクロージャによって画定された前記チャンバが前記振動素子の起動前に実質的に空であり、前記振動素子の起動後にも実質的に空である、前記[２]に記載の装置。
[６]
前記エンクロージャが、前記振動素子の単回起動後に前記量の５％以下を有するように構成されている、前記[２]に記載の装置。
[７]
前記エンクロージャは、前記単回起動後に前記チャンバが実質的に空になるように、前記量の２％以下を有するように構成されている、前記[２]に記載の装置。
[８]
前記エンクロージャは、前記単回起動が完了した時点以前には前記チャンバが実質的に空であるように、残留流体として１マイクロリットル以下の流体量を有するように構成されている、前記[２]に記載の装置。
[９]
前記エンクロージャにより画定された前記チャンバが１０〜１４マイクロリットルの容積を有する、前記[２]に記載の装置。
[１０]
前記唇状部が、前記振動素子の前記流体側から１５０ミクロン未満だけ離隔されている、前記[２]に記載の装置。
[１１]
前記振動素子が、前記複数の開口部の中央配向において中心軸を画定している、
前記[１]に記載の装置。
[１２]
前記振動素子が、前記複数の開口部によって創出される噴霧パターンの中心として中心軸を画定している、前記[１]に記載の装置。
[１３]
前記唇状部が、前記中心軸に沿って見た場合におおよそ少なくとも２７０度の角度にわたり、２５０ミクロン未満だけ前記振動素子の前記流体側から離隔されている、前記[２]に記載の装置。
[１４]
前記エンクロージャが、前記中心軸に沿って見た場合に前記複数の開口部の反対側で少なくとも０．０１４インチだけ前記振動素子から離隔されている、前記[１]に記載の装置。
[１５]
前記エンクロージャが、前記チャンバを形成する流体と接触する内部表面を有し、前記内部表面は、前記流体量と接触する内部表面の少なくとも７５％が前記複数の開口部のうちの最も近いものから０．０４０インチ未満のところにあるように整形されている、前記[２]に記載の装置。
[１６]
前記エンクロージャが、前記流体と接触し前記チャンバを画定する内部表面を有し、前記内部表面は、該内部表面の少なくとも９５％が前記複数の開口部のうちの最も近いものから０．０４０インチ未満のところにあるように整形されている、前記[２]に記載の装置。
[１７]
前記エンクロージャは、前記チャンバ内の前記流体と流体連通状態にある流体の全てが前記複数の開口部のうちの最も近いものまで０．０６０インチ未満のところにあるように整形されている、前記[２]に記載の装置。
[１８]
前記エンクロージャが、前記流体と接触し前記チャンバを画定する内部表面を有し、前記内部表面は、前記複数の開口部の少なくとも７５％が、前記エンクロージャの前記内部表面の最も近い部分から少なくとも０．０１４インチのところにあるように整形されている、前記[２]に記載の装置。
[１９]
前記エンクロージャが、前記流体と接触し前記チャンバを画定する内部表面を有し、前記内部表面は、前記複数の開口部の少なくとも９５％が、前記エンクロージャの前記内部表面の最も近い部分から少なくとも０．０１４インチのところにあるように整形されている、前記[２]に記載の装置。
[２０]
前記エンクロージャが、前記流体と接触しかつ前記チャンバが形成されるように整形されている内部表面を有し、ここで前記内部表面全体が振動素子内の最も近い開口部から０．０４０インチ未満のところにある、前記[２]に記載の装置。
[２１]
前記エンクロージャが、前記チャンバが形成されるように整形された内部表面を有し、ここで、前記流体と接触している前記内部表面の少なくとも９５％が、前記複数の開口部のうちの少なくとも１つに通じる見通し線を有している、前記[２]に記載の装置。
[２２]
前記エンクロージャは、前記振動素子の前記中心軸の方向で測定した場合に少なくとも０．０１４インチの距離にわたり前記複数の開口部の少なくとも７５％に沿って前記チャンバに、前記流体に対する障害物が無いように整形されている内部表面を有している、前記[２]に記載の装置。
[２３]
前記エンクロージャは、前記振動素子の前記中心軸の方向で測定した場合に少なくとも０．０１４インチの距離にわたり前記複数の開口部の少なくとも９５％に沿って前記チャンバに、前記流体に対する障害物が無いように整形されている内部表面を有している、前記[２]に記載の装置。
[２４]
前記振動素子に結合された圧電素子をさらに含み、前記圧電素子が前記流体の送出中少なくとも２０回無作為化された周波数で駆動される、前記[１]に記載の装置。
[２５]
１００ｋＨｚ〜１６０ｋＨｚの範囲内の駆動周波数を中心とする無作為化された周波数で動作させられる前記振動素子に結合された圧電素子をさらに含む、前記[１]に記載の装置。
[２６]
前記振動素子が、前記唇状部と前記振動素子の間の平均分離距離よりも小さい最大振幅を有する、前記[２]に記載の装置。
[２７]
前記振動素子が、振動および前記開口部を通した前記流体の送出中、０．５〜１．５ミクロンの最大振幅を有する、前記[１]に記載の装置。
[２８]
前記振動素子が、振動および前記開口部を通した前記流体の送出中、０．８〜１．２ミクロンの最大振幅を有する、前記[１]に記載の装置。
[２９]
前記振動素子内の前記複数の開口部が、前記開口部における駆出配向に直交する平均断面部域を前記送出側に有し、前記断面部域は、前記振動素子の送出側において前記開口部の有効直径を画定しており、前記振動素子が、前記送出側における前記複数の開口部の前記有効直径の５．０％以上である最大振幅を有する、前記[１]に記載の装置。
[３０]
前記振動素子の前記最大振幅が、前記振動素子の厚みの５．０％以下であり、前記厚みは前記振動素子の前記流体側から前記送出側まで測定される、前記[１]に記載の装置。
[３１]
前記振動素子が、１００〜１８０ミクロンという前記流体側から前記送出側まで測定した厚みを有する、前記[１]に記載の装置。
[３２]
前記振動素子が、１２０〜１６０ミクロンという前記流体側から前記送出側まで測定した厚みを有する、前記[１]に記載の装置。
[３３]
前記唇状部は、前記中心軸に沿って見た場合に前記複数の開口部のおおよそ少なくとも２７０度にわたり前記エンクロージャ内に前記流体を保持するために前記振動素子と接触している、前記[２]に記載の装置。
[３４]
前記唇状部が、前記振動素子に対する取付具を全く有していない、前記[２]に記載の装
置。
[３５]
前記唇状部が、ショア６０ａ未満のデュロメータを有する弾力性材料でできている、前記[２]に記載の装置。
[３６]
前記唇状部が中心軸の前記方向で前記振動素子に対して偏向されている、前記[２]に記載の装置。
[３７]
前記エンクロージャの前記唇状部が、前記振動素子の中心軸の前記方向で測定された３ｇｒａｍ−ｆ以下の力を前記振動素子上に加える、前記[２]に記載の装置。
[３８]
前記エンクロージャの前記唇状部が、前記振動素子の中心軸の前記方向で測定された２ｇｒａｍ−ｆ以下の力を前記振動素子上に加える、前記[２]に記載の装置。
[３９]
前記振動素子に対して前記唇状部を偏向させるための機構をさらに含む、前記[２]に記載の装置。
[４０]
前記唇状部が、前記エンクロージャの前記中心軸の前記方向で最高０．０５０ｍｍの変位について６０ｇｒａｍ−ｆ／ｍｍ以下の平均ばね定数でばね荷重を前記振動素子に加える、２前記[２]に記載の装置。
[４１]
前記唇状部が、前記エンクロージャの前記中心軸の前記方向で最高０．０５０ｍｍの変位について、４０ｇｒａｍ−ｆ／ｍｍ以下の平均ばね定数でばね荷重を前記振動素子に加える、前記[２]に記載の装置。
[４２]
前記エンクロージャは、前記唇状部が前記振動素子上にばね荷重を加えるように前記中心軸の方向で弾力性を有する、前記[２]に記載の装置。
[４３]
前記エンクロージャの前記壁が、唇状部と、大端部から小端部に向かってサイズが減少するテーパ付き部分を有する側壁とを含み、前記大端部は、前記小端部に比べて前記振動素子により近いところに位置付けされ、前記中心軸に沿って見た場合前記小端部よりも大きい部域を包囲している、前記[２]に記載の装置。
[４４]
前記側壁が、前記エンクロージャの前記唇状部により画定される開放端部の中心軸との関係において半径方向内向きに延在する半径方向延長部分を有し、前記半径方向延長部分は、前記中心軸が上に存在する断面平面で見た場合に前記エンクロージャの前記開放端部の相当半径の少なくとも２０％半径方向内向きに延在し、前記中心軸に沿って見た場合に少なくとも２７０度の合計角度範囲にわたり延在している、前記[４３]に記載の装置。
[４５]
前記半径方向延長部分は、前記中心軸が上に存在する断面平面で見た場合に、前記エンクロージャの前記中心軸との関係における半径方向変位と長手方向変位の間に少なくとも３対１という比を有し、前記中心軸に沿って見た場合少なくとも２７０度の合計角度範囲にわたり延在している、前記[４４]に記載の装置。
[４６]
前記側壁は、先細になっており、中心軸が上に存在する断面平面内で見た場合に、前記唇状部から前記エンクロージャにより形成された前記チャンバの近位端部に向かって少なくとも１対３という半径方向変位と長手方向変位の間の比を有し、前記中心軸に沿って見た場合に少なくとも２７０度という合計角度範囲にわたって延在している、前記 [４４]に記載の装置。
[４７]
前記側壁は、前記中心軸が上に存在する断面平面で見た場合に、少なくとも２対３という半径方向変位と長手方向変位の間の比を有し、前記中心軸に沿って見た場合に合計少なくとも２７０度にわたり延在している、前記[４４]に記載の装置。
[４８]
前記側壁は、前記中心軸が上に存在する断面平面で見た場合に、少なくとも１対１という半径方向変位と長手方向変位の間の比を有し、前記中心軸に沿って見た場合に合計少なくとも２７０度にわたり延在している、前記[４４]に記載の装置。
[４９]
前記側壁は、前記中心軸が上に存在する断面平面で見た場合に、前記エンクロージャの前記開放端部の有効半径の少なくとも半分である半径方向距離にわたり先細になるテーパ付き部分を有し、前記中心軸に沿って見た場合に合計少なくとも２７０度にわたり延在している、前記[４４]に記載の装置。
[５０]
前記側壁が、円錐台状部分を含むテーパ付き部分を有し、前記円錐台状部分は、前記中心軸が上に存在する断面平面で見た場合に前記中心軸に沿って測定した前記テーパ付き部分の合計長手方向距離の少なくとも半分にわたって延在し、前記中心軸に沿って見た場合に合計少なくとも２７０度にわたり延在している、前記[４４]に記載の装置。
[５１]
前記側壁の前記テーパ付き部分は、前記唇状部が前記振動素子と弾力的に接触するように、前記エンクロージャの前記中心軸の方向で弾力性を有する、前記[５０]に記載の装置。
[５２]
前記唇状部および前記振動素子が互いに隣接して、前記複数の開口部を取巻く閉ループに沿って流体が間を通過するのを防いでいる、前記[２]に記載の装置。
[５３]
前記唇状部が、前記中心軸に沿って見た場合に前記複数の開口部のおおよそ少なくとも２７０度にわたり少なくとも１２５ミクロンの分離距離だけ前記振動素子から離隔されている、前記[２]に記載の装置。
[５４]
前記エンクロージャは、前記唇状部と前記振動素子の間および前記複数の開口部のうちの少なくともいくつかを通るもの以外には、前記開口部を通って前記流体が駆出される時に前記エンクロージャ内に空気を通気させるための通気開口部を含まない、前記[２]に記載の装置。
[５５]
前記複数の開口部の少なくともいくつかが振動中前記チャンバ内に空気を吸込む、前記[２]に記載の装置。
[５６]
前記唇状部および前記振動素子は、前記複数の開口部を通って流体が駆出されるにつれて前記エンクロージャを通気するため空気がそれらの間を通過できるようにする、前記[２]に記載の装置。
[５７]
前記振動素子に結合された圧電素子をさらに含み、前記振動素子は、前記振動素子の振動を駆動するにあたり第１の休止により分離される第１の時間周期と第２の時間周期にわたって振動させられる、前記[１]に記載の装置。
[５８]
圧電素子が非活動化される複数の休止を伴って活動化され非活動化される圧電素子をさらに含み、各休止が、合計送出時間の少なくとも２％である連続時間であり、前記複数の休止の合計時間が、合計送出時間の少なくとも６％である、前記[１]に記載の装置。
[５９]
前記振動素子は、第２の時間周期後の振動の駆動とそれに続く第３の時間周期にわたる振動の駆動にあたり第２の休止を伴って振動させられ、
前記圧電素子は、活動化周期と非活動化周期の交番を含めるように前記第２の時間周期および前記第３の時間周期の間動作させられ、各非活動化周期は、前記第２および第３の時間周期各々の２．０〜２．５％であり、前記第２および第３の時間周期中の前記非活動化周期の合計が、それぞれ前記第２および第３の時間周期各々の少なくとも３０％である、前記[５７]に記載の装置。
[６０]
振動を駆動するにあたっての前記休止が０．５〜４．０ｍｓである状態で、前記振動素子が振動させられる、前記[５７]に記載の装置。
[６１]
前記振動素子が、各々２０〜４０ｍｓである前記第１の時間周期および前記第２の時間周期、そして１００ｍｓ未満の合計送出時間で振動させられる、前記[５７]に記載の装置。
[６２]
前記振動素子は、前記開口部の前記送出側における平均駆出速度が２．５ｍ／ｓ〜１２ｍ／ｓとなるように振動させられる、前記[１]に記載の装置。
[６３]
前記エンクロージャの前記チャンバに対して流動的に結合され、前記エンクロージャの前記容積の少なくとも１５０倍である流体担持能力を有する、流体コンテナと；
１つの用量サイズのみを送出するポンプと；
をさらに含む、前記[２]に記載の装置。
[６４]
前記振動素子が前記唇状部の前記表面に隣接して位置付けされた取囲まれた境界を画定し、前記取囲まれた境界はこの取囲まれた境界と境を接する取囲まれた補給部域を画定し、前記振動素子内の前記開口部が、前記振動素子の送出部域を包含しこれを画定している、前記[２]に記載の装置。
[６５]
前記送出部域が取囲まれた補給部域の７５％以下である、６４前記[２]に記載の装置。
[６６]
前記取囲まれた補給部域が前記送出部域よりも少なくとも３０％大きい、前記[６４]に記載の装置。
[６７]
前記取囲まれた補給部域は、前記振動素子の中心軸の前記方向で見た場合に前記送出部域と同一の広がりを持たない余剰補給部域を有する、前記[６４]に記載の装置。
[６８]
前記余剰補給部域は、使用中前記送出部域の幾何学的中心の上方に前記余剰補給部域の少なくとも９０％が位置付けされるような形で位置付けされている、前記[６４]に記載の装置。
[６９]
前記余剰補給部域が前記送出部域の少なくとも３０％である、前記[６４]に記載の装置。
[７０]
前記振動素子の前記送出部域が幾何学的中心を画定し有効半径を有し、前記唇状部の前記取囲まれた補給部域も同様に幾何学的中心および有効半径を画定している、前記[６４]に記載の装置。
[７１]
使用中、前記取囲まれた補給部域の前記幾何学的中心が前記送出部域の前記幾何学的中心の上方にある、前記[７０]に記載の装置。
[７２]
前記取囲まれた補給部域の前記幾何学的中心が、前記送出部域の前記幾何学的中心から前記送出部域の前記有効半径の少なくとも０．３倍だけオフセットされている、前記[７０]に記載の装置。
[７３]
前記エンクロージャにより形成された前記チャンバには流体流に対する障害物が無く、こうして前記チャンバ内の前記流体および前記チャンバ内の前記流体と直接流体連通状態にある任意の流体の少なくとも９５％が前記複数の開口部のうちの少なくとも１つに通じる見通し線を有するようになっている、前記[２]に記載の装置。
[７４]
前記エンクロージャにより形成された前記チャンバには流体流に対する障害物が無く、こうして前記チャンバ内の前記流体および前記チャンバ内の前記流体と直接流体連通状態にある任意の流体の全てが前記複数の開口部のうちの少なくとも１つに通じる見通し線を有するようになっている、前記[２]に記載の装置。
[７５]
前記エンクロージャは、前記複数の開口部の少なくとも７５％からこのエンクロージャの内部表面の前記最も近い部分までの間の最低間隔が少なくとも０．０１４インチとなるように整形された内部表面を有するようになっている、前記[２]に記載の装置。
[７６]
前記エンクロージャは、前記複数の開口部の少なくとも９５％からこのエンクロージャの内部表面の前記最も近い部分までの間の最低間隔が少なくとも０．０１４インチとなるように整形された内部表面を有している、前記[２]に記載の装置。
[７７]
前記エンクロージャの前記内部表面は、前記チャンバ内の流体と直接流体連通状態にある前記流体の少なくとも７５％が前記振動素子内の最も近い開口部から０．０６０インチ以下のところにある状態で、前記チャンバが形成されるように整形されている、前記[２]に記載の装置。
[７８]
前記エンクロージャの前記内部表面は、前記チャンバ内の流体と直接流体連通状態にある前記流体の少なくとも９５％が前記振動素子内の最も近い開口部から０．０４０インチ以下のところにある状態で、前記チャンバが形成されるように整形されている、前記[２]に記載の装置。
[７９]
前記エンクロージャの前記内部表面は、前記チャンバ内の流体と直接流体連通状態にある前記流体の全てが前記振動素子内の最も近い開口部から０．０６０インチ以下のところにある状態で、前記チャンバが形成されるように整形されている、前記[２]に記載の装置。
[８０]
前記余剰補給部域は、前記振動素子の中心軸との関係において見た場合に、前記取囲まれた補給部域の少なくとも２７０度に沿って前記取囲まれた補給部域の前記有効半径の少なくとも０．３倍、半径方向外向きに延在する、前記[６４]に記載の装置。
[８１]
前記余剰補給部域は、前記取囲まれた補給部域の前記有効半径の少なくとも０．３倍、前記取囲まれた補給部域の全周に延在している、前記[６４]に記載の装置。
[８２]
前記余剰補給部域は、前記中心軸に沿って見た場合に前記エンクロージャの前記側壁のテーパ付き部分と境を接しており、前記側壁の前記テーパ付き部分は前記振動素子のより近くに位置付けされた大きい方の端部を有する、前記[６４]に記載の装置。
[８３]
前記エンクロージャが側壁と前記流体を受入れる主入口とを有し、前記エンクロージャは同様に前記チャンバ内に流体が入るときに通る第１の入口および第２の入口を有しており、前記第１の入口および前記第２の入口は前記チャンバに通じており、両方共、前記複数の開口部に向けられる前に前記流体を前記エンクロージャの側壁に向けるために配向されている、前記[２]に記載の装置。
[８４]
前記第１の入口および前記第２の入口は、前記流体の少なくとも９０％を前記エンクロージャに向け、前記流体の１０％未満が、前記エンクロージャに向けられる前に前記振動素子に向けられる、前記[８３]に記載の装置。
[８５]
管腔を有する管；
をさらに含み、
前記エンクロージャが、前記管内の前記管腔に対し流動的に結合された主入口を有し、前記主入口は、分流チャンバを形成する前記エンクロージャの内壁に前記流体を向けるように配向されており、前記分流チャンバは、前記チャンバに導く少なくとも２つの別個の入口を有し、前記チャンバへの各入口が前記流体を前記エンクロージャの側壁に向けている、前記[１]に記載の装置。
[８６]
原文抜け
[８７]
前記分流チャンバが、それぞれ第３の流路および第４の流路に対応する第３の入口および第４の入口を有する、前記[８６]に記載の装置。
[８８]
前記振動素子が、前記複数の開口部によって発出される前記噴霧パターンの中央配向によって画定される中心軸を有し；
前記エンクロージャが、前記流れを前記中心軸から３０度以内の方向に導く主入口を有し、前記エンクロージャが側壁および前記流体を受入れるため前記主入口に流動的に結合された分流チャンバを有し、前記分流チャンバが、前記主入口からの前記流体流を前記中心軸から６０〜９０度配向された少なくとも第１の入口および第２の入口へと向け直し分流する形状を有しており、前記第１の入口および前記第２の入口は、前記流体が前記複数の開口部に向けられる前に前記エンクロージャの前記側壁に向けられる、前記[２]に記載の装置。
[８９]
前記エンクロージャが第１の入口、第２の入口、第３の入口および第４の入口を有し、これら入口の全てが前記エンクロージャの側壁に向けられかつ前記エンクロージャの中心軸に沿って見た場合に隣接する入口から６０〜１２０度配向されている、前記[２]に記載の装置。
[９０]
前記エンクロージャが、管の主入口から流体を受入れる流体分割チャンバを有し、前記流体分割チャンバは、前記エンクロージャの前記唇状部により画定される中心軸に沿って見た場合に前記側壁の一方の側から前記側壁の反対の側まで延在する壁によって形成されている、前記[２]に記載の装置。
[９１]
前記エンクロージャが、少なくとも前記チャンバを画定する一体として形成された構造を有する、前記[２]に記載の装置。
[９２]
２マイクロリットル未満の容積をもつ管腔を有する管と；
前記管腔を通る流体流を許容する開放位置および前記管腔を通る流体流を防ぐ閉鎖位置を有するバルブと；
をさらに含み、
前記エンクロージャが、前記管内の前記管腔に対して流動的に結合された主入口を有する、
前記[２]に記載の装置。
[９３]
前記バルブが同様にポンプでもある、前記[９２]に記載の装置。
[９４]
第１の部分と第２の部分を有するポンプをさらに含み、前記第１の部分が、最大変位で保管位置から順方向行程位置までそして逆に前記順方向行程位置から前記保管位置まで各サイクル毎に往復運動し、前記ポンプが、同じく最大変位で保管位置から順方向行程位置までそして逆に前記保管位置まで各サイクル毎に往復運動する第２のポンプ部分も有している、前記[１]に記載の装置。
[９５]
前記ポンプの前記第１の部分が、前記第２の部分に向かって延在する延長部分を有し、前記第２の部分が同様に、前記第１の部分に向かって延在し前記第１の部分の前記延長部分とインタロックする延長部分を有し、前記第１の部分が前記サイクルを通して前記第２の部分を駆動している、前記[９４]に記載の装置。
[９６]
前記第１の部分に対し作動的に結合された第１のアクチュエータをさらに含み、前記アクチュエータが前記順方向行程を通して前記第１の部分を駆動し同様に前記順方向行程の間ポンプ戻しばねに負荷を与え、負荷されたポンプばねは、前記第１のポンプ部分および前記第２のポンプ部分を前記順方向行程位置から前記保管位置まで戻るように移動させる、前記[９４に記載の装置。
[９７]
前記流体が、前記第１の部分の前記順方向行程中、前記第１および第２の部分の間に形成されたキャビティ内に引き込まれる、前記[９４]に記載の装置。
[９８]
前記流体が前記順方向行程中キャビティ内に引き込まれ、前記キャビティが前記第１の部分と前記第２の部分の間に形成され、前記第１および第２の部分が互いに向かっておよび互いに離れるように移動するにつれて前記キャビティのサイズが変化する、前記[９４]に記載の装置。
[９９]
前記ポンプが、前記エンクロージャに対し送出される７〜１２マイクロリットルの流体量を保持するキャビティを有する、前記[９４]に記載の装置。
[１００]
前記チャンバ対し流動的に結合された管腔を有する管と；
前記管腔を通る流体流を許容するために開放され、前記管腔を通る流体流を遮断するために閉鎖されるバルブであって、合計下流側容積は、少なくとも前記バルブの下流側のチャンバ管および前記管腔を含む合計容積によって画定され、前記チャンバに送出される前記流体量は、前記合計下流側容積の４０％〜７０％であり得るバルブと；
をさらに含む前記[１]に記載の装置。
[１０１]
ポンプに結合された空気補充チャンバをさらに含み、前記ポンプが、各サイクル中、前記空気補充チャンバから流体コンテナ内へと空気を強制する、前記[１]に記載の装置。
[１０２]
前記ポンプが、前記第１の部分の前記順方向行程中前記空気補充チャンバ内に空気を引き込み、前記第１の部分の前記戻り行程中前記流体コンテナ内に空気を強制する、
前記[１０１]に記載の装置。
[１０３]
アパーチャを有するシャッタであって、前記中心軸に沿って見た場合に前記複数の開口部をカバーする保管位置から、前記シャッタの前記アパーチャを通して前記中心軸から見た場合に前記複数の開口部が露呈されている送出位置まで移動可能であるシャッタと；
前記シャッタに結合されたシャッタばねであって、前記順方向行程中に前記ポンプの前記第１の部分を前記第１のアクチュエータが移動させた時点で負荷が与えられ、前記シャッタばねにより前記送出位置から前記保管位置まで戻される前記シャッタに結合されている、シャッタばねと；
をさらに含む、前記[１]に記載の装置。
[１０４]
前記ハウジングに組付けられた制御システムをさらに含み、前記制御システムが第１のアクチュエータに結合され、前記振動素子を制御するため前記振動素子に作動的に結合されている、前記[１]に記載の装置。
[１０５]
前記ハウジングが第１のハウジング部分と第２のハウジング部分を含み、前記第１のハウジング部分が前記第２のハウジング部分に対し取外し可能な形で結合され；前記制御システムが前記第１のハウジング部分に組付けられている、前記[１]に記載の装置。
[１０６]
前記ハウジングの前記第２の部分に組付けられたエンクロージャ；
をさらに含み、
前記振動素子が前記ハウジングの前記第２の部分に組付けられている、
前記[１０５]に記載の装置。
[１０７]
前記ハウジングの前記第２の部分に結合された流体コンテナをさらに含み、前記流体コンテナは交換不能な状態で前記ハウジングの前記第２の部分に組付けられており、こうして前記ハウジングの前記第２の部分が前記流体コンテナと共に廃棄されるようになっている、前記[１０５]に記載の装置。
[１０８]
前記チャンバに流動的に結合された管腔を有する管と；
前記管腔と連通状態で位置付けされたバルブであって、前記管腔を通る流体流を許容するために開放し、前記管腔を通る流体流を遮断するために閉鎖されるバルブと；
をさらに含む、前記[１]に記載の装置。
[１０９]
合計下流側容積が、少なくとも前記管腔と前記チャンバを含む前記バルブの下流側の合計容積によって画定され、前記管内の前記管腔を通って前記チャンバに送出される流体量が前記合計下流側容積の４０％〜７０％である、前記[１０８]に記載の装置。
[１１０]
バルブがポンプである、前記[１０８]に記載の装置。
[１１１]
少なくとも２００ｐｓｉの圧力で流体を送出するポンプをさらに含む、前記[１]に記載の装置。
[１１２]
前記チャンバに少なくとも１．０ｍ／ｓの速度で前記流体を送出するポンプをさらに含む、前記[１]に記載の装置。
[１１３]
前記エンクロージャが、前記振動素子から離れる方に面した凹側を伴うカップ状の壁を有する分流チャンバに流動的に結合された主入口を含む、前記[１]に記載の装置。
[１１４]
前記カップ状の壁が、カップ状の壁の中に形成された第１の入口および第２の入口を有し、前記カップ状の壁が、前記唇状部により画定される有効半径の少なくとも２５％にわたり前記エンクロージャの中心軸から半径方向外向きに延在している、前記[１１３]に記載の装置。
[１１５]
前記第１の入口および前記第２の入口が各々、前記中心軸との関係における半径方向寸法および長手方向寸法を有し、前記半径方向寸法と前記長手方向寸法の比が０．５〜１．５である、前記[１１３]に記載の装置。
[１１６]
前記第１の入口および前記第２の入口が各々、前記エンクロージャの前記中心軸の前記方向で見た場合に前記主入口の幾分かを露呈している、前記[１１３]に記載の装置。
[１１７]
前記エンクロージャが、前記振動素子の中心軸の前記方向で前記振動素子との関係における一定の自由度を有する唇状部を有している、前記[２]に記載の装置。
[１１８]
目に流体を送出する装置と共に使用するための流体取扱装置において、
エンクロージャの開放端部に外接しこれを画定する唇状部を有する側壁を含むエンクロージャを含む流体取扱装置であって、前記唇状部が使用中振動素子に隣接して位置付けされており、前記エンクロージャは、前記唇状部が使用中前記振動素子に隣接して位置付けされているとき前記開放端部と共にチャンバを画定する内部表面を有し、前記開放端部は、前記振動素子が振動するにつれて前記チャンバ内の流体が分配される時に通る前記振動素子内の複数の開口部を包囲するために前記振動素子に隣接して位置付けされており、前記振動素子は、流体側と送出側とを有し、前記複数の開口部は前記流体側から前記送出側まで延在しており、前記振動素子は、前記振動素子が振動させられた時点で前記複数の開口部を通って前記流体側から前記送出側まで流体を駆出し、前記唇状部が使用中前記複数の開口部の周囲に延在している、流体取扱装置。
[１１９]
管腔を通して前記チャンバへと前記流体を送出するために前記エンクロージャの前記チャンバに流動的に結合された管腔を有する管をさらに含む、前記[１１８]に記載の装置。
[１２０]
前記チャンバが前記流体の前記目に対する単回適用を保持し、前記チャンバが、使用中前記振動素子の単回起動において実質的に空にされ、１４マイクロリットル未満の前記流体を保持する、前記[１１８]に記載の装置。
[１２１]
前記エンクロージャにより形成された前記チャンバが、１０〜１４マイクロリットルの容積を有する、前記[１１８]に記載の装置。
[１２２]
前記エンクロージャと前記振動素子の間に形成された前記チャンバが、前記流体の前記量により７０〜９５％満たされている、前記[１１８]に記載の装置。
[１２３]
前記チャンバが、使用中前記流体を７〜１２マイクロリットルの量保持する、前記[１１８]に記載の装置。
[１２４]
前記唇状部が、使用中前記振動素子の前記流体側から２５０ミクロン未満の平均分離距離だけ離隔されている、前記[１１８]に記載の装置。
[１２５]
前記唇状部が、前記中心軸に沿って見た場合におおよそ少なくとも２７０度にわたり２５０ミクロン未満だけ前記振動素子の前記流体側から離隔されている、前記[１１８]に記載の装置。
[１２６]
前記エンクロージャが、前記中心軸に沿って見た場合に前記複数の開口部の反対側で少なくとも０．０１４インチだけ前記振動素子から離隔されている、前記[１１８]に記載の
装置。
[１２７]
前記振動素子が、前記唇状部の前記表面と前記振動素子の間の平均分離距離より小さい振動中の最大振幅を有する、前記[１１８]に記載の装置。
[１２８]
前記振動素子に結合された圧電素子をさらに含む、前記[１１８]に記載の装置。
[１２９]
前記振動素子が、振動および前記開口部を通した前記流体の送出の間、０．５〜１．５ミクロンの最大振幅を有する、前記[１１８]に記載の装置。
[１３０]
前記振動素子が、振動および前記開口部を通した前記流体の送出の間、０．８〜１．２ミクロンの最大振幅を有する、前記[１１８]に記載の装置。
[１３１]
前記複数の開口部が、前記開口部の駆出配向に直交する断面部域を前記送出側に有し、前記断面部域が前記送出側の前記開口部の有効直径を画定し、前記振動素子の前記最大振幅が、前記送出側の前記複数の開口部の前記有効直径の５．０％以下である、前記[１１８]に記載の装置。
[１３２]
前記振動素子の前記最大振幅が前記振動素子の厚みの３．０％以下であり、前記厚みは前記振動素子の前記流体側から前記送出側まで測定したものである、前記[１１８]に記載
の装置。
[１３３]
前記振動素子が、前記流体側から前記送出側まで測定した場合に１００〜１８０ミクロンの厚みを有する、前記[１１８]に記載の装置。
[１３４]
前記振動素子が、前記流体側から前記送出側まで測定した場合に１２０〜１６０ミクロンの厚みを有する、前記[１１８]に記載の装置。
[１３５]
前記唇状部が、前記エンクロージャ内に前記流体を保持するために前記振動素子と接触している、前記[１１８]に記載の装置。
[１３６]
前記唇状部が、前記振動素子に対する取付具を全く有していない、前記[１１８]に記載の装置。
[１３７]
前記唇状部が、弾力性材料でできている、前記[１１８]に記載の装置。
[１３８]
前記唇状部が前記チャンバ内に前記流体を保持するため、前記振動素子に対して偏向されている、前記[１１８]に記載の装置。
[１３９]
前記唇状部が中心軸に沿って測定された３ｇｒａｍ−ｆ未満の力で前記振動素子に対して偏向されている、前記[１１８]に記載の装置。
[１４０]
前記唇状部が、前記中心軸の前記方向で前記振動素子と接触しているとき２ｇｒａｍ−ｆ未満の力を前記振動素子上に加える、前記[１１８]に記載の装置。
[１４１]
前記唇状部が、前記中心軸の前記方向で最高０．００５ｍｍの変位について６０ｇｒａｍ−ｆ／ｍｍ以下の平均ばね定数でばね荷重を前記振動素子に加える、前記[１１８]に記載の装置。
[１４２]
前記エンクロージャが、弾力性を有しかつ前記中心軸の前記方向で前記振動素子に対しばね荷重を適用する側壁を有する、前記[１１８]に記載の装置。
[１４３]
前記振動素子が、前記複数の開口部の中心配向でかつ駆出方向に配向された中心軸を画定する、前記[１１８]に記載の装置。
[１４４]
前記振動素子が、前記複数の開口部により創出される噴霧パターンの中心に中心軸を画定する、前記[１１８]に記載の装置。
[１４５]
前記エンクロージャの前記開放端部が幾何学的中心を有し、前記開放端部が、前記唇状部により取囲まれた部域に直交して前記幾何学的中心を通って延在する中心軸を画定する、前記[１１８]に記載の装置。
[１４６]
前記エンクロージャが大端部から小端部までサイズが減少する側壁を有し、前記大端部が前記小端部に比べて前記振動素子により近く位置付けされ前記小端部よりも大きい部域を包囲している、前記[１１８]に記載の装置。
[１４７]
前記エンクロージャの前記側壁が、円錐台状部分および前記円錐台状部分の小端部から半径方向内向きに延在する半径方向延長部分を含む、前記[１４６]に記載の装置。
[１４８]
前記側壁が、前記唇状部により画定される前記開口部の前記中心軸との関係において半径方向内向きに延在する半径方向延長部分を含み、前記半径方向延長部分は、前記中心軸が上に存在する断面平面内で見た場合に前記唇状部により画定される前記エンクロージャの前記の相当半径の少なくとも２０％半径方向内向きに延在し、前記中心軸に沿って見た場合に合計少なくとも２７０度にわたり延在している、前記[１４６]に記載の装置。
[１４９]
前記半径方向延長部分は、前記中心軸が上に存在する断面平面で見た場合に、前記エンクロージャの前記開放端部によって画定される前記中心軸との関係における半径方向変位と長手方向変位の間に少なくとも３対１という比を有し、前記中心軸に沿って見た場合少なくとも２７０度の合計角度範囲にわたり延在している、前記[１４８]に記載の装置。
[１５０]
前記側壁は、先細になっており、前記エンクロージャの中心軸が上に存在する断面平面内で見た場合に、少なくとも１対３という半径方向変位と長手方向変位の間の比を有し、前記中心軸に沿って見た場合に合計少なくとも２７０度にわたって延在している、
前記[１４６]に記載の装置。
[１５１]
前記側壁は、前記エンクロージャの中心軸が上に存在する断面平面で見た場合に、少なくとも２対３という半径方向変位と長手方向変位の間の比を有し、前記中心軸に沿って見た場合に合計少なくとも２７０度にわたり延在している、前記[１４６]に記載の装置。
[１５２]
前記側壁は、前記エンクロージャの中心軸が上に存在する断面平面で見た場合に、少なくとも１対１という半径方向変位と長手方向変位の間の比を有し、前記中心軸に沿って見た場合に合計少なくとも２７０度にわたり延在している、前記[１４６]に記載の装置。
[１５３]
前記側壁が第１の円錐台状部分を有する、前記[１４６]に記載の装置。
[１５４]
前記側壁が、前記側壁のテーパ付き部分に沿って０．００５インチ未満の厚みを有する、前記[１４６]に記載の装置。
[１５５]
前記側壁は、前記エンクロージャの中心軸が上に存在する断面平面で見た場合に、少なくとも１対８という半径方向変位と前記唇状部により取り込まれた部域の有効半径の間の比を有し、前記中心軸に沿って見た場合に合計少なくとも２７０度にわたり延在している、前記[１４６]に記載の装置。
[１５６]
前記唇状部が前記振動素子に隣接して位置付けされた表面を有し、前記唇状部の前記表面が前記振動素子と接触しかつ中心軸の前記方向において前記振動素子との関係における一定の自由度を有する、前記[１１８]に記載の装置。
[１５７]
前記振動素子が、前記複数の開口部の幾何学的中心において前記開口部の駆出方向に配向された中心軸を画定し；
前記唇状部が、前記中心軸に沿って見た場合に前記複数の開口部のおおよそ少なくとも２７０度にわたり前記振動素子から１２５ミクロン未満離隔された表面を有する；
前記[１１８]に記載の装置。
[１５８]
前記唇状部が、前記中心軸に沿って見た場合に前記複数の開口部のおおよそ少なくとも２７０度にわたり少なくとも１２５ミクロンの分離距離だけ前記振動素子から離隔されている、前記[１１８]に記載の装置。
[１５９]
前記エンクロージャは、前記唇状部と前記振動素子の間および前記振動素子の前記複数の開口部のうちの少なくともいくつかを通るもの以外には、前記開口部を通って前記流体が駆出された時点で、前記エンクロージャ内に空気を通気させるための通気開口部を含まない、前記[１１８]に記載の装置。
[１６０]
前記唇状部および前記振動素子が、前記振動素子の振動中前記複数の開口部のうちの一部の中に空気を引込むことを可能にする、前記[１１８]に記載の装置。
[１６１]
前記唇状部および前記振動素子は、前記複数の開口部を通って流体が駆出されるにつれて前記エンクロージャを通気する、前記[１１８]に記載の装置。
[１６２]
前記振動素子は、共に流体が間から漏出するのを防ぐ前記唇状部の前記表面に隣接して位置付けされた取囲まれた境界を画定し、前記取囲まれた境界はこの取囲まれた境界と境を接する部域である取囲まれた補給部域を画定し、前記振動素子内の前記開口部が、前記振動素子内の前記複数の開口部の送出部域を包含している、前記[１１８]に記載の装置。
[１６３]
前記振動素子の前記送出部域が取囲まれた補給部域の７５％以下である、前記[１６２]に記載の装置。
[１６４]
前記取囲まれた補給部域が前記送出部域よりも少なくとも３０％大きい、前記[１６２]に記載の装置。
[１６５]
前記取囲まれた補給部域は、前記中心軸の前記方向で見た場合に前記送出部域と同一の広がりを持たない余剰補給部域を画定している、前記[１６２]に記載の装置。
[１６６]
使用中前記送出部域の幾何学的中心の上方に前記余剰補給部域の少なくとも９０％が位置付けされている、前記[１６５]に記載の装置。
[１６７]
前記余剰補給部域が前記送出部域の少なくとも３０％であるサイズを有する、前記[１６５]に記載の装置。
[１６８]
前記振動素子の前記送出部域が幾何学的中心および有効半径を画定し、前記唇状部の前記表面の前記取囲まれた補給部域も同様に幾何学的中心および有効半径を画定している、前記[１６２]に記載の装置。
[１６９]
使用中、前記取囲まれた補給部域の前記幾何学的中心が、前記送出部域の前記幾何学的中心の上方にある、前記[１６８]に記載の装置。
[１７０]
前記取囲まれた補給部域の前記幾何学的中心が、前記送出部域の前記幾何学的中心から前記送出部域の前記有効半径の少なくとも０．３倍だけオフセットされている、前記[１６８]に記載の装置。
[１７１]
前記エンクロージャと前記振動素子の間に形成された前記チャンバが幾何学的中心を画定し、前記チャンバ内の前記流体の前記幾何学的中心は、前記中心軸の前記方向で測定された場合に前記振動素子から０．０１５インチ以下のところに位置付けされており、前記振動が前記チャンバ内の前記流体を排出するために実施される、前記[１１８]に記載の装
置。
[１７２]
前記エンクロージャにより形成された前記チャンバには流体流に対する障害物が無く、前記チャンバ内の前記流体の少なくとも９５％が前記振動素子内の最も近い開口部に通じる見通し線を有するようになっている、前記[１１８]に記載の装置。
[１７３]
前記エンクロージャにより形成された前記チャンバには流体流に対する障害物が無く、前記チャンバ内の前記流体および前記チャンバ内の前記流体と連通状態にある流体の全てが前記振動素子内の最も近い開口部に通じる見通し線を有するようになっている、
前記[１１８]に記載の装置。
[１７４]
前記エンクロージャは、前記複数の開口部の少なくとも７５％からこのエンクロージャの内部表面の前記最も近い部分までの最低間隔が少なくとも０．０１４インチとなるように整形された内部表面を有している、前記[１１８]に記載の装置。
[１７５]
前記エンクロージャは、前記複数の開口部の少なくとも９５％からこのエンクロージャの内部表面の前記最も近い部分までの最低間隔が少なくとも０．０１４インチとなるように整形された内部表面を有している、前記[１１８]に記載の装置。
[１７６]
前記エンクロージャの前記内部表面は、前記チャンバ内の流体と直接流体連通状態にある前記流体の少なくとも７５％が前記振動素子内の最も近い開口部から０．０４０インチ以下のところにある状態で、前記チャンバが形成されるように整形されている、前記[１１８]に記載の装置。
[１７７]
前記エンクロージャの前記内部表面は、前記チャンバ内の流体と直接流体連通状態にある前記流体の少なくとも９５％が前記振動素子内の最も近い開口部から０．０６０インチ以下のところにある状態で、前記チャンバが形成されるように整形されている、前記[１１８]に記載の装置。
[１７８]
前記エンクロージャの前記内部表面は、前記チャンバ内の流体と直接流体連通状態にある前記流体の全てが前記振動素子内の最も近い開口部から０．０６０インチ以下のところにある状態で、前記チャンバが形成されるように整形されている、前記[１１８]に記載の装置。
[１７９]
前記余剰補給部域は、前記中心軸に沿って見た場合に、前記取囲まれた補給部域の少なくとも２７０度に沿って前記取囲まれた補給部域の前記有効半径の少なくとも０．３倍、前記取囲まれた補給部域から外向きに延在する、前記[１６５]に記載の装置。
[１８０]
前記余剰補給部域が、前記取囲まれた補給部域の全周に延在している、前記[１６５]に記載の装置。
[１８１]
前記余剰補給部域が、前記中心軸に沿って見た場合に前記エンクロージャの前記側壁のテーパ付き部分と境を接している、前記[１６５]に記載の装置。
[１８２]
前記エンクロージャが、前記流体を受入れる主入口を有し、前記主入口は、前記チャンバ内に流体が入るときに通る第１の入口および第２の入口に流体を導き、前記第１の入口は、前記振動素子内の前記複数の開口部に前記流体が向けられる前に前記エンクロージャの第１の表面に前記流体を向ける、前記[１１８]に記載の装置。
[１８３]
前記エンクロージャが主入口を有し、この主入口を通って前記流体の前記量が導入され、前記エンクロージャは同様に、前記チャンバに通じる少なくとも第１の入口および第２の入口をも有しており、前記第１の入口および前記第２の入口は両方共、前記振動素子内の前記複数の開口部に導かれる前に前記エンクロージャの表面に前記流体を向けるように配向されている、前記[１１８]に記載の装置。
[１８４]
前記少なくとも第１の入口および前記第２の入口は、前記流体の少なくとも９０％を前記エンクロージャに向け、こうして前記流体の１０％未満が、前記エンクロージャに向けられる前に前記振動素子に向けられるようになっている、前記[１１８]に記載の装置。
[１８５]
前記エンクロージャは、各々前記流体が前記チャンバ内に入るにつれて前記エンクロージャの側壁に前記流体を向ける少なくとも３つの別個の入口へと前記流れを分割する前記エンクロージャの第１の表面に前記流体を向ける主入口を有する、前記[１１８]に記載の装置。
[１８６]
前記エンクロージャは、前記エンクロージャの主入口から前記流体を受入れる分流チャンバを有し、前記分流チャンバは、前記流れを第１の流路に沿った第１の流れと第２の流路に沿った第２の流れへと分割する前記第１の流体入口および第２の流体入口を含む、前記[１１８]に記載の装置。
[１８７]
前記分流チャンバは、それぞれ第３の流路および第４の流路に対応する第３の入口および第４の入口を有し、これらの両方の入口が、開口部へと導かれる前に流体を前記エンクロージャの前記側壁に向けている、前記[１８６]に記載の装置。
[１８８]
前記エンクロージャが、前記流れを前記エンクロージャの前記中心軸から３０度以内の方向に導く主入口を有し、前記エンクロージャが側壁および前記流体を受入れるため前記主入口に流動的に結合された分流器を有し、前記分流器が、前記主入口からの前記流体流を前記中心軸から６０〜９０度配向された少なくとも第１の入口および第２の入口へと向け直し、前記第１の入口および前記第２の入口は、前記流体が前記複数の開口部に向けられる前に前記エンクロージャの前記側壁に向けられる、前記[１１８]に記載の装置。
[１８９]
前記エンクロージャが、前記分流チャンバからの流体を受入れる第３の入口および第４の入口を有し、前記チャンバへの前記第３の入口および前記第４の入口が、前記エンクロージャの前記側壁に配向されている、前記[１８８]に記載の装置。
[１９０]
前記エンクロージャが第１の入口、第２の入口、第３の入口および第４の入口を有し、これらの入口の全てが前記エンクロージャの側壁に向けられかつ前記中心軸に沿って見た場合に隣接する入口から６０〜１２０度配向されている、前記[１１８]に記載の装置。
[１９１]
前記エンクロージャが、前記側壁の第１の部分から前記側壁の相対する部分まで延在する内壁を含み、前記内壁が前記中心軸に実質的に直交して延在し、前記内壁は、前記唇状部により取囲まれかつ中心軸に沿って測定された前記振動素子から０．０１４〜０．０３０インチのところに位置付けされた部域の有効半径の少なくとも２０％の距離にわたり中心軸から半径方向外向きに延在している、前記[１１８]に記載の装置。
[１９２]
前記エンクロージャの内壁が前記エンクロージャの前記側壁の近位端部と共に流体分割チャンバを形成し、前記流体分割チャンバが前記チャンバへの４つの入口を有し、これらの入口が各々前記流体を前記側壁に向けている、前記[１１８]に記載の装置。
[１９３]
前記流体分割チャンバの前記内壁により形成された４つの入口は、前記中心軸から６０〜９０度配向されている、前記[１９２]に記載の装置。
[１９４]
前記エンクロージャが、前記唇状部により取囲まれている前記開放端部の部域と共に前記チャンバを画定する一体として形成された構造である、前記[１１８]に記載の装置。
[１９５]
２マイクロリットル未満の容積をもつ管腔を有する管と；
前記管腔を通る流体流を許容および防止する、前記管腔に対し流動的に結合されたバルブと；
をさらに含み、
前記エンクロージャが主入口を含み、この主入口を通って流体が前記エンクロージャ内に導入され、前記主入口が前記管の前記管腔に対して流動的に結合されている、前記[１１８]に記載の装置。
[１９６]
前記バルブが、前記管を通り前記チャンバに向かって前記流体を圧送するポンプである、前記[１９５]に記載の装置。
[１９７]
合計下流側容積が、少なくとも前記管腔と前記チャンバを含む前記バルブの下流側の合計容積によって画定され、前記管内の前記管腔を通ってチャンバに送出される前記流体量が、前記合計下流側容積の４０％〜７０％である、前記[１９６]に記載の装置。
[１９８]
前記エンクロージャが、前記振動素子から離れる方に面した凹側を伴うカップ状の壁を有する分流チャンバに流動的に結合された主入口を含む、前記[１１８]に記載の装置。
[１９９]
前記カップ状の壁が、カップ状の壁の中に形成された第１の入口および第２の入口を有し、前記カップ状の壁が、前記唇状部により画定される有効半径の少なくとも２５％にわたり前記エンクロージャの中心軸から半径方向外向きに延在している、前記[１１８]に記載の装置。
[２００]
前記第１の入口および前記第２の入口が各々、前記中心軸との関係において半径方向寸法および長手方向寸法を有し、前記半径方向寸法と前記長手方向寸法の比が０．５〜１．５である、前記[１９９]に記載の装置。
[２０１]
前記第１の入口および前記第２の入口が各々、前記エンクロージャの前記中心軸の前記方向で見た場合に前記主入口の一部を露呈している、前記[１９９]に記載の装置。
[２０２]
前記エンクロージャが、前記振動素子の中心軸の前記方向で前記振動素子との関係における一定の自由度を有する唇状部を有している、前記[１１８]に記載の装置。
[２０３]
前記振動素子に結合された圧電素子をさらに含み：
前記振動素子は、前記振動素子の振動を駆動するにあたり第１の休止により分離される第１の時間周期と第２の時間周期にわたって振動させられる、前記[１１８]に記載の装置。
[２０４]
圧電素子が非活動化される複数の休止を伴って活動化され非活動化される圧電素子をさらに含み、各休止が、合計送出時間の少なくとも２％である連続時間であり、前記複数の休止の合計時間が、合計送出時間の少なくとも６％である、前記[１１８]に記載の装置。
[２０５]
前記振動素子に結合された圧電素子；
をさらに含み、
前記振動素子は、第２の時間周期後の振動の駆動とそれに続く第３の時間周期にわたる振動の駆動にあたり、第２の休止を伴って振動させられ、
前記圧電素子は、活動化周期と非活動化周期の交番を含めるように前記第２の時間周期および前記第３の時間周期の間動作させられ、各非活動化周期は、前記第２および第３の時間周期各々の２．０〜２．５％であり、前記第２および第３の時間周期中の前記非活動化周期の合計が、それぞれ前記第２および第３の時間周期各々の少なくとも３０％である、前記[１１８]に記載の装置。
[２０６]
振動を駆動するにあたっての前記休止が０．５〜４．０ｍｓである状態で、前記振動素子が振動させられる、前記[１１８]に記載の装置。
[２０７]
前記振動素子が、各々２０〜４０ｍｓである前記第１の時間周期および前記第２の時間周期、そして１００ｍｓ未満の合計送出時間で振動させられる、前記[１１８]に記載の装置。
[２０８]
目に一定量の流体を送出する方法において：
流体エジェクタとエンクロージャを有する装置を提供するステップであって、前記流体エジェクタが複数の開口部を伴う振動素子を有し、前記振動素子が流体側と送出側とを有し、前記複数の開口部が前記流体側から前記送出側まで延在しており、前記流体エジェクタが、前記振動素子の振動時点で前記複数の開口部を通って前記流体側から前記送出側まで流体を吐出する、ステップと； 
前記チャンバに対し一定量の流体を送出するステップと；
前記チャンバ内の前記流体が前記複数の開口部を通って目に向かって駆出されるように前記振動素子を振動させるステップと；
を含む方法。
[２０９]
前記提供ステップは、前記振動素子の前記流体側に隣接して位置付けされている唇状部を伴う壁を有する前記エンクロージャを用いて実施され、前記唇状部は、前記複数の開口部の周囲に延在し、前記エンクロージャと前記振動素子が共に前記チャンバを画定している、前記[２０８]に記載の方法。
[２１０]
前記送出ステップは、前記流体を前記チャンバに送出するためのユーザによる前記装置の第１の起動の時点で実施され；
前記振動ステップは、前記第１の起動の後のユーザによる前記装置の第２の起動の時点で実施される、前記[２０８]に記載の方法。
[２１１]
前記送出ステップは、第１のアクチュエータの操作である前記装置の前記第１の起動により実施され；
前記振動ステップは、前記第１のアクチュエータとは別個の第２のアクチュエータを用いたものである前記装置の前記第２の起動により実施される、前記[２０８]に記載の方法。
[２１２]
前記送出ステップは、前記チャンバが前記送出ステップに先立ち実質的に空である状態で実施される、前記[２０８]に記載の方法。
[２１３]
前記振動ステップは、前記振動ステップが完了した時点で前記チャンバが実質的に空である状態で実施される、前記[２０８]に記載の方法。
[２１４]
前記送出ステップは、前記流体の先行する送出由来の残留流体によって前記エンクロージャの合計容積の５％以下が占有されている状態で開始され、こうして前記送出ステップに先立ち前記チャンバは実質的に空となるようになっている、前記[２０８]に記載の方法。
[２１５]
前記送出ステップは、前記流体の先行する送出由来の残留流体によって前記エンクロージャの合計容積の２％以下が占有されている状態で開始される、前記[２０８]に記載の方法。
[２１６]
前記送出ステップは、前記エンクロージャが前記流体の先行する送出由来の残留流体を１マイクロリットル以下しか有していない状態で開始される、前記[２０８]に記載の方法。
[２１７]
前記送出ステップは、前記エンクロージャの前記チャンバを前記流体の前記量で７０〜９５％満たすように実施される、前記[２０８]に記載の方法。
[２１８]
前記送出ステップは、前記流体の前記量が７〜１２マイクロリットルである状態で実施される、前記[２０８]に記載の方法。
[２１９]
前記位置付けステップは、前記唇状部が、前記振動素子の前記流体側から２５０ミクロン未満だけ離隔されている状態で実施される、前記[２０９]に記載の方法。
[２２０]
前記位置付けステップは、前記唇状部が、前記中心軸に沿って見た場合に、およそ少なくとも２７０度の角度にわたり、２５０ミクロン未満だけ前記振動素子の前記流体側から離隔されている状態で実施される、前記[２０９]に記載の方法。
[２２１]
前記送出ステップは、前記中心軸の前記方向で前記複数の開口部から少なくとも０．０１４インチだけ前記振動素子から離隔された内部表面を前記エンクロージャが有している状態で実施される、前記[２０９]に記載の方法。
[２２２]
前記振動ステップが、１００〜１６０ｋＨｚの周波数で実施される、前記[２０８]に記載の方法。
[２２３]
前記振動ステップは、前記唇状部の前記表面と前記振動素子の間の平均分離距離よりも小さい最大振幅を前記振動素子が有している状態で実施される、前記[２０９]に記載の方法。
[２２４]
前記振動ステップは、前記開口部を通した前記流体の振動および送出中、前記振動素子が０．５〜１．５ミクロンの最大振幅を有する状態で実施される、前記[２０８]に記載の方法。
[２２５]
前記振動ステップは、前記開口部を通した前記流体の振動および送出中、前記振動素子が０．８〜１．２ミクロンの最大振幅を有する状態で実施される、前記[２０８]に記載の方法。
[２２６]
前記提供ステップは、前記複数の開口部が駆出配向に直交する断面部域を前記送出側に有し、前記断面部域が前記送出側において前記開口部の有効直径を画定している状態で実施され；
前記振動ステップは、前記振動素子の前記最大振幅が前記送出側における前記複数の開口部の前記有効直径の５．０％以下である状態で実施される、前記[２０８]に記載の方法。
[２２７]
前記振動ステップは、前記振動素子の前記最大振幅が前記振動素子の厚みの３．０％以下であり、前記厚みが前記振動素子の前記流体側から前記送出側まで測定されている状態で実施される、前記[２０８]に記載の方法。
[２２８]
前記振動ステップは、前記振動素子が１００〜１８０ミクロンという前記流体側から前
記送出側まで測定した厚みを有する状態で実施される、前記[２０８]に記載の方法。
[２２９]
前記振動ステップは、前記振動素子が１２０〜１６０ミクロンという前記流体側から前記送出側まで測定した厚みを有する状態で実施される、前記[２０８]に記載の方法。
[２３０]
前記送出ステップは、前記エンクロージャが前記エンクロージャ内に前記流体を保持するために前記振動素子と接触している唇状部を有している状態で実施される、前記[２０９]に記載の方法。
[２３１]
前記送出ステップは、前記唇状部が前記振動素子に対する取付具を全く有していない状態で実施される、前記[２０９]に記載の方法。
[２３２]
前記唇状部が弾力性材料でできている状態で実施される、前記[２０９]に記載の方法。
[２３３]
前記送出ステップは、前記唇状部が前記チャンバ内に前記流体を保持するために前記中心軸の方向で前記振動素子に対して偏向されている状態で実施される、前記[２０９]に記載の方法。
[２３４]
前記送出ステップは、前記エンクロージャの前記唇状部が、中心軸の前記方向で測定された３ｇｒａｍ−ｆ以下の力を前記振動素子上に加えるように実施される、前記[２０９]に記載の方法。
[２３５]
前記提供ステップは、前記エンクロージャの前記唇状部が、中心軸の前記方向で測定された２ｇｒａｍ−ｆ以下の力を前記振動素子上に加えるように実施される、前記[２０９]に記載の方法。
[２３６]
前記提供ステップは、前記唇状部が、最高０．０５０ｍｍの変位について中心軸の前記方向で６０ｇｒａｍ−ｆ／ｍｍ以下のばね定数でばね荷重を前記振動素子に加える状態で実施される、前記[２０９]に記載の方法。
[２３７]
前記提供ステップは、前記唇状部が、最高０．０５０ｍｍの変位について中心軸の前記方向で４０ｇｒａｍ−ｆ／ｍｍ以下の平均ばね定数でばね荷重を前記振動素子に加える状態で実施される、前記[２０９]に記載の方法。
[２３８]
前記送出ステップは、前記エンクロージャが前記振動素子に対してばね荷重を加えるため弾力性のある壁を有している状態で実施される、前記[２０９]に記載の方法。
[２３９]
前記提供ステップは、前記振動素子が前記複数の開口部の中心配向で中心軸を画定している状態で実施される、前記[２０８]に記載の方法。
[２４０]
前記提供ステップは、前記振動素子が前記複数の開口部により創出された噴霧パターンの中心として中心軸を画定している状態で実施される、前記[２０８]に記載の方法。
[２４１]
前記エンクロージャの前記開放端部が幾何学的中心を有し、前記開放端部が、この開放端部により画定された部域に直交して前記幾何学的中心を通って延在する中心軸を画定している、前記[２０８]に記載の方法。
[２４２]
前記提供ステップは、前記エンクロージャの前記壁が大端部から小端部までサイズが減少する側壁を含み、前記大端部が前記小端部に比べて前記振動素子により近いところに位置付けされより大きな部域を包囲している状態で実施される、前記[２０８]に記載の方法。
[２４３]
前記提供ステップは、前記側壁が、前記唇状部から延在する円錐台状部分と前記円錐台状部分の小端部から半径方向内向きに延在する半径方向延長部分を有する状態で実施される、前記[２４２]に記載の方法。
[２４４]
前記提供ステップは、前記半径方向延長部分が、前記中心軸が上に存在する断面平面で見た場合に前記唇状部により画定された前記開放端部の相当半径の少なくとも２０％にわたり前記開口部の前記中心軸との関係において半径方向内向きに延在し、前記中心軸に沿って見た場合に合計少なくとも２７０度にわたり延在している状態で実施される、
前記[２０９]に記載の方法。
[２４５]
前記提供ステップは、前記半径方向延長部分が、前記中心軸が上に存在する断面平面で見た場合に、前記エンクロージャの前記中心軸との関係における半径方向変位と長手方向変位の間に少なくとも３対１という比を有し、前記中心軸に沿って見た場合合計少なくとも２７０度にわたり延在している状態で実施される、前記[２４４]に記載の方法。
[２４６]
前記提供ステップは、前記側壁が先細になっており、中心軸が上に存在する断面平面内で見た場合に、少なくとも１対３という半径方向変位と長手方向変位の間の比を側壁が有し、前記中心軸に沿って見た場合に合計少なくとも２７０度にわたって延在している状態で実施される、前記[２０８]に記載の方法。
[２４７]
前記提供ステップは、前記側壁が、前記中心軸が上に存在する断面平面で見た場合に、少なくとも２対３という半径方向変位と長手方向変位の間の比を有し、前記中心軸に沿って見た場合に合計少なくとも２７０度にわたり延在している状態で実施される、前記[２０８]に記載の方法。
[２４８]
前記提供ステップは、前記側壁が、前記中心軸が上に存在する断面平面で見た場合に、少なくとも１対１という半径方向変位と長手方向変位の間の比を有し、前記中心軸に沿って見た場合に合計少なくとも２７０度にわたり延在している状態で実施される、前記[２０８]に記載の方法。
[２４９]
前記提供ステップは、側壁が先細で、側壁が円錐台状部分を有する状態で実施される、前記[２０８]に記載の方法。
[２５０]
前記提供ステップは、前記唇状部および前記振動素子が互いに隣接して、前記複数の開口部を取巻く閉ループに沿って流体が間を通過するのを防いでいる状態で実施される、前記[２０９]に記載の方法。
[２５１]
前記振動ステップは、前記唇状部が前記振動素子に隣接して位置付けされた表面を有し、前記唇状部の前記表面が、前記開放端部により画定された中心軸に沿って見た場合に前記振動素子と接しているものの少なくとも２７０度に沿って前記振動素子に取付けられてはいない状態で実施される、前記[２０９]に記載の方法。
[２５２]
前記提供ステップは、前記振動素子が、前記複数の開口部の幾何学的中心においてかつ前記開口部の駆出方向に配向された中心軸を画定している状態で実施され；
前記振動ステップは、前記唇状部が、前記中心軸に沿って見た場合に前記複数の開口部のおおよそ少なくとも２７０度にわたり２５０ミクロン未満だけ振動素子から離隔された表面を有している状態で実施される、前記[２０９]に記載の方法。
[２５３]
前記振動ステップは、前記表面が、前記中心軸に沿って見た場合に前記複数の開口部のおおよそ少なくとも２７０度にわたり少なくとも１２５ミクロンの分離距離だけ離隔されている状態で実施される、前記[２０８]に記載の方法。
[２５４]
前記提供ステップは、前記唇状部と前記振動素子の間および前記振動素子内の前記複数の開口部の間以外には、開口部を通ってこの流体が駆出される時に、前記エンクロージャ内に空気を通気するための通気開口部を前記エンクロージャが含んでいない状態で実施される、前記[２０９]に記載の方法。
[２５５]
前記振動ステップは、前記振動ステップ中に前記複数の開口部のうちの一部の中に空気が引き込まれるように実施される、前記[２０８]に記載の方法。
[２５６]
前記振動ステップは、流体が前記複数の開口部を通って駆出されるにつれて前記エンクロージャを通気するために前記唇状部と前記振動素子の間に空気が取込まれている状態で実施される、前記[２０９]に記載の方法。
[２５７]
前記振動ステップは、前記振動素子の振動を駆動するにあたり第１の休止により分離された第１の時間周期および第２の時間周期にわたって実施される、前記[２０８]に記載の方法。
[２５８]
前記振動ステップは、振動を駆動するにあたっての前記第１の休止が０．５ｍｓ〜４．０ｍｓである状態で実施される、前記[２５７]に記載の方法。
[２５９]
前記振動ステップは、前記第２の時間周期後の振動の駆動とそれに続く第３の時間周期にわたる振動の駆動にあたり第２の休止を伴って実施される、前記[２５７]に記載の方法。
[２６０]
振動を駆動するにあたっての前記休止が０．５〜４．０ｍｓである状態で、前記振動ステップが第２の休止を伴って実施される、２５９前記[２]に記載の方法。
[２６１]
前記振動ステップは、前記第１の時間周期および前記第２の時間周期が各々２０〜４０ｍｓである状態で実施される、前記[２５７]に記載の方法。
[２６２]
前記振動ステップが前記送出ステップの完了後に実施される、前記[２０８]に記載の方法。
[２６３]
前記振動ステップが前記送出ステップ中に実施される、前記[２０８]に記載の方法。
[２６４]
前記振動ステップは、前記開口部の前記送出側における平均駆出速度が２．５ｍ／ｓ〜１２ｍ／ｓとなるように実施される、前記[２０８]に記載の方法。
[２６５]
前記送出ステップは、前記流体量が、前記エンクロージャの前記容積の少なくとも１５０倍である流体担持能力を有する流体コンテナから送出されている状態で実施される、前記[２０８]に記載の方法。
[２６６]
前記振動ステップは、前記振動素子が、共に流体が間から漏出するのを防ぐ前記唇状部の前記表面に隣接して位置付けされた取囲まれた境界を画定し、前記取囲まれた境界がこの取囲まれた境界と境を接する部域である取囲まれた補給部域を画定し、前記振動素子内の前記開口部が、前記振動素子内の前記複数の開口部の送出部域を包含している状態で実施される、前記[２０８]に記載の方法。
[２６７]
前記提供ステップは、前記送出部域が取囲まれた補給部域の７５％以下である状態で実施される、前記[２６６]に記載の方法。
[２６８]
前記提供ステップは、前記取囲まれた補給部域が前記送出部域よりも少なくとも３０％大きい状態で実施される、前記[２６６]に記載の方法。
[２６９]
前記提供ステップは、前記取囲まれた補給部域が、前記中心軸の前記方向で見た場合に前記送出部域と同一の広がりを持たない余剰補給部域を有する状態で実施される、
前記[２６６]に記載の方法。
[２７０]
前記提供ステップは、前記送出部域の幾何学的中心の上方に前記余剰補給部域の少なくとも９０％が位置付けされている状態で実施される、前記[２６６]に記載の方法。
[２７１]
前記提供ステップは、前記余剰部域が前記送出部域の少なくとも３０％である状態で実施される、前記[２６６]に記載の方法。
[２７２]
前記提供ステップは、前記振動素子の前記送出部域が幾何学的中心および有効半径を画定し、前記唇状部の前記表面の前記取囲まれた補給部域も同様に幾何学的中心および有効半径を画定している状態で実施される、前記[２６６]に記載の方法。
[２７３]
前記振動ステップは、前記取囲まれた補給部域の前記幾何学的中心が前記送出部域の前記幾何学的中心の上方にある状態で実施される、前記[２７２]に記載の方法。
[２７４]
前記振動ステップは、前記取囲まれた補給部域の前記幾何学的中心が前記送出部域の前記幾何学的中心から前記送出部域の前記有効半径の少なくとも０．３倍だけオフセットされている状態で実施される、前記[２７２]に記載の方法。
[２７５]
前記振動ステップは、前記流体が、幾何学的中心を有する前記振動素子と前記エンクロージャの間に形成された前記チャンバ内に保持され、前記チャンバ内の前記流体の前記幾何学的中心が、前記中心軸の前記方向で測定した場合に前記振動素子から０．０１５以下のところに位置付けされている状態で実施される、前記[２０８]に記載の方法。
[２７６]
前記振動ステップは、前記チャンバ内の前記流体の少なくとも９５％が前記振動素子内の前記複数の開口部のうち最も近いものから０．０６０インチ以下である状態で実施される、前記[２０８]に記載の方法。
[２７７]
前記振動ステップは、前記流体の幾何学的中心が、前記送出部域の前記幾何学的中心の上方で前記送出部域の前記有効半径の少なくとも０．３倍である状態で実施される、前記[２０８]に記載の方法。
[２７８]
前記提供ステップは、前記チャンバには、前記中心軸に沿って見て測定した場合に少なくとも０．０１４インチの距離にわたり前記複数の開口部の少なくとも９５％に沿って障害物が無い状態で実施される、前記[２０８]に記載の方法。
[２７９]
前記提供ステップは、前記エンクロージャが、前記中心軸の前記方向で見て測定した場合に前記複数の開口部の少なくとも９５％から０．０１４〜０．０４０インチの間に位置付けされている状態で実施される、前記[２０８]に記載の方法。
[２８０]
前記振動ステップは、前記振動素子が、共に流体が間から漏出するのを防ぐ前記唇状部の前記表面に隣接して位置付けされた取囲まれた境界を画定し、前記取囲まれた境界がこの取囲まれた境界と境を接する部域である取囲まれた補給部域を画定し、前記振動素子内の前記複数の開口部が、前記振動素子内の送出部域を包含しており、前記振動素子の前記送出部域が幾何学的中心および有効半径を画定し、前記唇状部の前記表面の前記取囲まれた補給部域も同様に、幾何学的中心および有効半径を画定し、前記取囲まれた補給部域が、前記中心軸の前記方向で見た場合に前記送出部域と同一の広がりを持たない余剰補給部
域を有している状態で実施される、前記[２０８]に記載の方法。
[２８１]
前記提供ステップは、前記余剰補給部域が、前記中心軸に沿って見た場合に前記取囲まれた補給部域の少なくとも２７０度に沿って前記取囲まれた補給部域の前記有効半径の少なくとも０．３倍、外向きに延在している状態で実施される、前記[２８０]に記載の方法。
[２８２]
前記提供ステップは、前記余剰補給部域が前記取囲まれた補給部域の全周に延在している状態で実施される、前記[２８０]に記載の方法。
[２８３]
前記提供ステップは、前記余剰補給部域が、前記中心軸に沿って見た場合に、前記エンクロージャの前記側壁のテーパ付き部分により格納されている状態で実施される、前記[２８０]に記載の方法。
[２８４]
前記送出ステップは、前記エンクロージャが前記流体を受入れる主入口を有し、前記主入口が第１の入口および第２の入口に対して流動的に結合され、流体がこれらの第１および第２の入口を通って前記チャンバに入り、前記第１および前記第２の入口が両方共、前記振動素子内の前記開口部に向ける前に前記流体を前記エンクロージャの側壁に向ける状態で実施される、前記[２０８]に記載の方法。
[２８５]
前記送出ステップは、前記エンクロージャが、前記チャンバに通じる少なくとも第１の入口と第２の入口とを有し、前記第１の入口および前記第２の入口が両方共、前記振動素子内の前記開口部に導く前に前記エンクロージャの表面に流体を向けるように配向されている状態で実施される、前記[２０８]に記載の方法。
[２８６]
前記送出ステップは、前記少なくとも第１の入口および前記第２の入口が前記流体の少なくとも９０％を前記エンクロージャに向け、前記流体の１０％未満が前記エンクロージャに向けられる前に前記振動素子に向けられるように実施される、前記[２８５]に記載の方法。
[２８７]
前記提供ステップは、前記エンクロージャが、各々前記エンクロージャの側壁に前記流体を向ける少なくとも３つの別個の入口へと前記流体を分割する前記エンクロージャの第１の表面に前記流体を向ける主入口を有している状態で実施される、前記[２０８]に記載の方法。
[２８８]
前記提供ステップは、前記エンクロージャが、前記主入口から前記流体を受入れる分流チャンバを有し、前記分流チャンバが、前記流れを第１の流路に沿った第１の流れと第２の流路に沿った第２の流れへと分割する前記第１の流体入口および第２の流体入口を含む状態で実施される、前記[２０８]に記載の方法。
[２８９]
前記提供ステップは、前記分流チャンバが、それぞれ第３の流路および第４の流路に対応する第３の入口および第４の入口を有している状態で実施される、前記[２８８]に記載の方法。
[２９０]
前記提供ステップは、前記分流チャンバが、前記振動素子から離れる方に面した凹側を伴うカップ状の壁を有する状態で実施される、前記[２８８]に記載の方法。
[２９１]
前記提供ステップは、前記カップ状の壁がカップ状の壁の中に形成された前記第１の入口および前記第２の入口を有し、前記カップ状の壁が、前記唇状部により画定された前記中心軸との関係において少なくとも２４０度の角度範囲について前記唇状部により画定される有効半径の少なくとも２５％にわたり前記エンクロージャの中心軸から半径方向外向きに延在している状態で実施される、前記[２９０]に記載の方法。
[２９２]
前記提供ステップは、前記第１の入口および前記第２の入口が各々、前記中心軸との関係において半径方向寸法および長手方向寸法を有し、前記半径方向寸法と前記長手方向寸法の比が０．５〜１．５である状態で実施される、前記[２８８]に記載の方法。
[２９３]
前記提供ステップは、前記第１の入口および前記第２の入口が各々、前記エンクロージャの前記中心軸の前記方向で見た場合に前記主入口の一部を露呈している、前記[２８８]に記載の方法。
[２９４]
前記振動ステップは、前記振動素子が、前記複数の開口部により発出される前記噴霧パターンの中心配向によって画定された中心軸を有する状態で実施され；
前記提供ステップは、主入口が前記中心軸から３０度以内の方向で前記流れを導き、前記エンクロージャが、前記流体を受入れるため前記主入口に対して流動的に結合された分流器および側壁を有し、前記分流器が前記主入口からの前記流れを前記中心軸から６０〜９０度配向された少なくとも第１の入口および第２の入口へと向け直し、前記第１の入口および前記第２の入口は、前記流体が前記複数の開口部へと導かれる前に前記エンクロージャの前記側壁に向けられている状態で実施される、前記[２０８]に記載の方法。
[２９５]
前記提供ステップは、第３の入口および第４の入口が、前記分流チャンバからの流体を受入れ、前記チャンバへの前記第３の入口および前記第４の入口が、前記エンクロージャの前記側壁に配向されている状態で実施される、前記[２９４]に記載の方法。
[２９６]
前記提供ステップは、前記エンクロージャが第１の入口、第２の入口、第３の入口および第４の入口を有し、それらの入口の全てが前記エンクロージャの側壁に向けられかつ前記中心軸に沿って見た場合に隣接する入口から６０〜１２０度配向されている状態で実施される、前記[２０８]に記載の方法。
[２９７]
前記提供ステップは、前記エンクロージャが、前記振動素子と共に前記チャンバを画定する一体として形成された構造を有している状態で実施される、前記[２０８]に記載の方法。
[２９８]
前記提供ステップは、管が前記エンクロージャの前記主入口に対して流動的に結合された管腔を有し、前記管が２マイクロリットル未満の容積を有し、前記主入口が前記チャンバに対して流動的に結合されている状態で実施される、前記[２０８]に記載の方法。
[２９９]
前記送出ステップは、前記ポンプが前記流体と共に一定量の空気を送出する状態で実施される、前記[２０８]に記載の方法。
[３００]
前記送出ステップの後に前記管からあらゆる残留流体をパージするステップをさらに含む、前記[２９８]に記載の方法。
[３０１]
前記送出ステップが、前記流体の前記量を送出するためにポンプを使用して実施され；
前記パージステップが前記ポンプを用いて実施される、前記[３００]に記載の方法。
[３０２]
前記パージステップは、前記ポンプが一定量の変位媒体を引き出し、前記変位媒体を前記管内に送出して前記管内の流体をエンクロージャ内に変位させた状態で実施される、前記[３００]に記載の方法。
[３０３]
前記パージステップは、前記ポンプが前記送出ステップの後に逆に前記ポンプ内へと前記管内の流体を引き込む状態で実施される、前記[３００]に記載の方法。
[３０４]
前記ポンプ内に引き込まれた前記流体を逆に前記管を通って前記エンクロージャへと圧送するステップをさらに含む、前記[３０３]に記載の方法。
[３０５]
前記送出ステップは、ポンプが第１の部分と第２の部分を有し、前記第１の部分が、最大変位で保管位置から順方向行程位置までそして逆に前記順方向行程位置から前記保管位置まで各サイクル毎に往復運動し、前記ポンプが、同じく最大変位で保管位置から順方向行程位置までそして逆に前記保管位置まで各サイクル毎に往復運動する第２のポンプ部分も有している状態で実施される、前記[２０８]に記載の方法。
[３０６]
前記送出ステップは、前記第１の部分が、前記第２の部分に向かって延在する延長部分を有し、前記第２の部分が同様に、前記第１の部分に向かって延在し前記第１の部分の前記延長部分とインタロックする延長部分を有する状態で実施され、
前記送出ステップは、前記第１の部分が前記サイクルを通して前記第２の部分を駆動する状態で実施される、前記[３０５]に記載の方法。
[３０７]
前記送出ステップは、前記アクチュエータが前記第１の部分に対し作動的に結合され、前記アクチュエータが前記順方向行程を通して前記第１の部分を駆動し同様に前記順方向行程の間ポンプ戻しばねにも負荷を与え、負荷されたポンプばねが、前記第１のポンプ部分および前記第２のポンプ部分を前記順方向行程位置から前記保管位置まで戻るように移動させる状態で実施される、前記[３０５]に記載の方法。
[３０８]
前記送出ステップは、前記流体が前記第１の部分の前記順方向行程中キャビティ内に引き込まれる状態で実施される、前記[３０５]に記載の方法。
[３０９]
前記送出ステップは、前記キャビティが前記第１の部分と前記第２の部分の間に形成され、前記第１および第２の部分が互いに向かっておよび互いに離れるように移動するにつれて、前記キャビティのサイズが変化する状態で実施される、前記[３０５]に記載の方法。
[３１０]
前記提供ステップは、前記ポンプが同様に、前記チャンバに通じる管の管腔を開閉するバルブでもある状態で実施される、前記[３０５]に記載の方法。
[３１１]
前記送出ステップは、７〜１２マイクロリットルの流体量で実施される、前記[３０５]に記載の方法。
[３１２]
前記ポンプを用いて、補充チャンバ内に空気を引込むステップと；
前記流体コンテナ内に空気を導入するため前記サイクル中に前記ポンプを用いて前記流体コンテナに向かって補充チャンバから空気を強制するステップと；
をさらに含む、前記[３０５]に記載の方法。
[３１３]
前記引込みステップが前記第１の部分の前記順方向行程中に実施され；前記強制ステップが前記第１の部分の前記戻り行程中に実施される、前記[３０５]に記載の方法。
[３１４]
前記提供ステップは、シャッタばねが前記アクチュエータおよび前記ポンプのうちの少なくとも１つに結合され、前記シャッタばねが前記順方向行程中に負荷を受け、前記シャッタばねが、前記複数の開口部をカバーする保管位置から前記流体の送出のために前記シャッタのアパーチャを通して前記複数の開口部が露呈されている送出位置まで可動であるシャッタに結合されている状態で実施される、前記[２０８]に記載の方法。
[３１５]
前記提供ステップは、前記エンクロージャにより形成された前記チャンバには流体流に対する障害物が無く、前記チャンバ内の前記流体の少なくとも９５％が最も近い開口部に通じる見通し線を有するような状態で実施される、前記[２０８]に記載の方法。
[３１６]
前記提供ステップは、前記エンクロージャにより形成された前記チャンバには流体流に対する障害物が無く、前記チャンバ内の前記流体の全てが前記振動素子内の最も近い開口部に通じる見通し線を有するような状態で実施される、前記[２０８]に記載の方法。
[３１７]
前記提供ステップは、前記エンクロージャが、前記複数の開口部の少なくとも７５％から前記エンクロージャの前記内部表面の前記最も近い部分までの最低間隔が少なくとも０．０１４インチとなるように整形された内部表面を有している状態で実施される、前記[２０８]に記載の方法。
[３１８]
前記提供ステップは、前記エンクロージャが、前記複数の開口部の少なくとも９５％から前記エンクロージャの前記内部表面の前記最も近い部分までの最低間隔が少なくとも０．０１４インチとなるように整形された内部表面を有している状態で実施される、前記[２０８]に記載の方法。
[３１９]
前記提供ステップは、前記チャンバ内の流体と直接流体連通状態にある前記流体の少なくとも７５％が前記振動素子内の最も近い開口部から０．０６０インチ以下のところにある状態で、前記チャンバが形成されるように前記エンクロージャの前記内部表面が整形されている状態で実施される、前記[２０８]に記載の方法。
[３２０]
前記提供ステップは、前記チャンバ内の流体と直接流体連通状態にある前記流体の少なくとも９５％が前記振動素子内の最も近い開口部から０．０６０インチ以下のところにある状態で前記チャンバが形成されるように前記エンクロージャの前記内部表面が整形されている状態で実施される、前記[２０８]に記載の方法。
[３２１]
前記提供ステップは、前記チャンバ内の流体と直接流体連通状態にある前記流体の全てが前記振動素子内の最も近い開口部から０．０６０インチ以下のところにある状態で、前記チャンバが形成されるように前記エンクロージャの前記内部表面が整形されている状態で実施される、前記[２０８]に記載の方法。
[３２２]
前記送出ステップは、前記流体がポンプから少なくとも２００ｐｓｉの圧力で送出されている状態で実施される、前記[２０８]に記載の方法。
[３２３]
前記送出ステップは、前記流体が少なくとも０．５ｍ／ｓの速度で前記管腔を通って前記エンクロージャまで送出されている状態で実施される、前記[２０８]に記載の方法。
[３２４]
前記提供ステップは、管が前記チャンバ対し流動的に結合された管腔を有し、バルブが前記管腔と連通状態で位置付けされ、前記バルブが、前記管腔を通る流体流を許容するために開放され、前記管腔を通る流体流を遮断するために閉鎖され、合計下流側容積が、前記バルブの下流側にあり少なくとも前記管腔および前記チャンバ管を含む合計容積によって画定され、前記管内の前記管腔を通って前記チャンバに送出される前記流体量が、前記合計下流側容積の４０％〜７０％である状態で実施される、前記[２０８]に記載の方法。
[３２５]
前記提供ステップは、バルブがポンプの一部である状態で実施される、前記[３２４]に記載の方法。
[３２６]
前記提供ステップは、前記エンクロージャが、前記振動素子から離れる方に面した凹側を伴うカップ状の壁を有する分流チャンバに流動的に結合された主入口を含む状態で実施される、前記[２０９]に記載の方法。
[３２７]
前記提供ステップは、前記カップ状の壁が、カップ状の壁の中に形成された第１の入口および第２の入口を有し、前記カップ状の壁が、前記唇状部により画定される有効半径の少なくとも２５％にわたり前記エンクロージャの中心軸から半径方向外向きに延在している状態で実施される、前記[３２６]に記載の方法。
[３２８]
前記提供ステップは、前記第１の入口および前記第２の入口が各々、前記中心軸との関係における半径方向寸法および長手方向寸法を有し、前記半径方向寸法と前記長手方向寸法の比が０．５〜１．５である状態で実施される、前記[３２７]に記載の方法。
[３２９]
前記提供ステップは、前記第１の入口および前記第２の入口が各々、前記エンクロージャの前記中心軸の前記方向で見た場合に前記主入口の一部を露呈している状態で実施される、前記[３２７]に記載の方法。
[３３０]
前記提供ステップは、前記エンクロージャが、前記振動素子の中心軸の前記方向で前記振動素子との関係における一定の自由度を有する唇状部を有している状態で実施される、前記[２０８]に記載の方法。
[３３１]
前記提供ステップは、圧電素子が前記振動素子に結合されており、前記振動素子が、前記振動素子の振動を駆動するにあたり第１の休止により分離される第１の時間周期と第２の時間周期にわたって振動させられる状態で実施される、前記[２０８]に記載の方法。
[３３２]
前記提供ステップは、圧電素子が非活動化される複数の休止を伴ってこの圧電素子が活動化され非活動化され、各休止が合計送出時間の少なくとも２％である連続時間であり、前記複数の休止の合計時間が、合計送出時間の少なくとも６％である状態で実施される、前記[２０８]に記載の方法。
[３３３]
前記提供ステップは、圧電素子が前記振動素子に結合されている状態で実施され； 
前記送出ステップは、前記振動素子が、第２の時間周期後の振動の駆動とそれに続く第３の時間周期にわたる振動の駆動にあたり第２の休止を伴って振動させられ、前記圧電素子が、活動化周期と非活動化周期の交番を含めるように前記第２の時間周期および前記第３の時間周期の間動作させられ、各非活動化周期が、前記第２および第３の時間周期各々の２．０〜２．５％であり、前記第２および第３の時間周期中の前記非活動化周期の合計が、それぞれ前記第２および第３の時間周期各々の少なくとも３０％である状態で実施される、前記[２０８]に記載の方法。
[３３４]
前記送出ステップは、振動を駆動するにあたっての前記第１の休止が０．５〜４．０ｍｓである状態で、前記振動素子が振動させられる状態で実施される、前記[３３１]に記載の方法。
[３３５]
前記送出ステップは、前記振動素子が、各々２０〜４０ｍｓである前記第１の時間周期および前記第２の時間周期そして１００ｍｓ未満の合計送出時間で振動させられる状態で実施される、前記[３３１]に記載の方法。
[３３６]
前記唇状部は、間の摩擦を削減するため前記振動素子に隣接するＰＴＦＥコーティングを有し、前記コーティングは前記中心軸に沿って見た場合に前記唇状部のおおよそ少なくとも２７０度にわたり延在している、前記[２]に記載の装置。
[３３７]
前記振動素子は、間の摩擦を削減するため前記唇状部に隣接するＰＴＦＥコーティングを有し、前記コーティングは、前記中心軸に沿って見た場合におおよそ少なくとも２７０度にわたり延在している、前記[１]に記載の装置。
[３３８]
前記エンクロージャの内側表面が、流体と接する前記内側表面の少なくとも７０％にわたり疎水性である、前記[２]に記載の装置。
[３３９]
前記チャンバを露呈するために壁を貫通して延在する壁開口部をさらに含む、前記[２]に記載の装置。
[３４０]
前記壁開口部が前記唇状部内で間隙を形成する、前記[３３９]に記載の装置。
[３４１]
前記壁開口部が、前記中心軸の前記方向に前記唇状部から測定された長手方向寸法と前記中心軸との関係において半径方向に測定された半径方向寸法とを有し、前記エンクロージャが、分離により前記開口部から離隔されている前記振動素子内の前記開口部に面する側を伴う内部壁を有する前記[３３９]に記載の装置。
[３４２]
前記壁開口部が、円錐台状部分に沿って位置付けされており、前記壁開口部が前記円錐台状部分の前記長さの少なくとも８０％にわたり前記唇状部から近位に延在している、前記[３３９]に記載の装置。
[３４３]
前記壁開口部の前記長手方向寸法が、前記振動素子と前記開口部に面する前記エンクロージャの前記側との間の分離の少なくとも８０％である、前記[３４１]に記載の装置。
[３４４]
前記壁開口部の前記半径方向寸法が、前記唇状部の前記相当円周の１０％以下である、前記[３４１]に記載の装置。
[３４５]
前記壁開口部の前記半径方向寸法が、前記唇状部の相当円周の５％以下である、前記[３４１]に記載の装置。
[３４６]
前記壁開口部が前記唇状部から近位に延在し、前記壁開口部が前記唇状部から近位に延在するにつれて前記壁開口部の円周方向寸法が先細になっていく、前記[３３９]に記載の装置。
[３４７]
前記壁開口部は、前記開口部のテーパ付き形状が前記中心軸に沿って見た場合に前記チャンバへの入口の前記方向に配向されるように先細になっている、前記[３４６]に記載の装置。
[３４８]
前記壁開口部は、流体が駆出された時点で空気が前記チャンバ内に入ることができるようにすることによって前記エンクロージャを通気し、前記壁開口部は、前記流体が中を通過するのを防ぐのに充分な程小さい、前記[３３９]に記載の装置。
[３４９]
前記唇状部は間の摩擦を削減するため前記振動素子に隣接するＰＴＦＥコーティングを有し、前記コーティングは前記中心軸に沿って見た場合におおよそ少なくとも２７０度にわたり延在している、前記[１１８]に記載の装置。
[３５０]
前記振動素子は間の摩擦を削減するため前記唇状部に隣接するＰＴＦＥコーティングを有し、前記コーティングは、前記中心軸に沿って見た場合におおよそ少なくとも２７０度にわたり延在している、前記[１１８]に記載の装置。
[３５１]
前記エンクロージャの内側表面が、流体と接する前記内側表面の少なくとも７０％にわたり疎水性である、前記[１１８]に記載の装置。
[３５２]
前記チャンバを露呈するために壁を貫通して延在する壁開口部をさらに含む、前記[１１８]に記載の装置。
[３５３]
前記壁開口部が前記唇状部内で間隙を形成する、前記[３５２]に記載の装置。
[３５４]
前記壁開口部が、前記中心軸の前記方向に前記唇状部から測定された長手方向寸法と前記中心軸との関係において半径方向に測定された半径方向寸法とを有し、前記エンクロージャが、分離により前記開口部から離隔されている前記振動素子内の前記開口部に面する側を伴う内部壁を有する前記[３５２]に記載の装置。
[３５５]
前記壁が、円錐台状部分を含み、前記壁開口部が前記円錐台状部分の前記長さの少なくとも８０％にわたり前記唇状部から近位に延在している、前記[３５２]に記載の装置。
[３５６]
前記壁開口部の前記長手方向寸法が、前記振動素子と前記開口部に面する前記エンクロージャの前記側との間の分離の少なくとも８０％である、前記[３５４]に記載の装置。
[３５７]
前記壁開口部の前記半径方向寸法が、前記唇状部の前記相当円周の１０％以下である、前記[３５４]に記載の装置。
[３５８]
前記壁開口部の前記半径方向寸法が、前記唇状部の相当円周の５％以下である、前記[３５４]に記載の装置。
[３５９]
前記壁開口部が前記唇状部から近位に延在し、前記壁開口部が前記唇状部から近位に延在するにつれて前記壁開口部の円周方向寸法が先細になっていく、前記[３５２]に記載の装置。
[３６０]
前記壁開口部は、前記開口部のテーパ付き形状が前記中心軸に沿って見た場合に前記チャンバへの入口の前記方向に配向されるように先細になっている、前記[３５２]に記載の装置。
[３６１]
前記壁開口部は、流体が駆出される時点で空気が前記チャンバ内に入ることができるようにすることによって前記エンクロージャを通気する、前記[３５２]に記載の装置。
[３６２]
前記提供ステップは、前記唇状部が間の摩擦を削減するため前記振動素子に隣接するＰＴＦＥコーティングを有し、前記コーティングが前記中心軸に沿って見た場合におおよそ少なくとも２７０度にわたり延在している状態で実施される、前記[２０９]に記載の方法。
[３６３]
前記提供ステップは、前記振動素子が間の摩擦を削減するため前記唇状部に隣接するＰＴＦＥコーティングを有し、前記コーティングが、前記中心軸に沿って見た場合におおよそ少なくとも２７０度にわたり延在している状態で実施される、前記[２０９]に記載の方法。
[３６４]
前記提供ステップは、前記エンクロージャの内側表面が、流体と接する前記内側表面の少なくとも７０％の上で疎水性である状態で実施される、前記[２０９]に記載の方法。
[３６５]
前記提供ステップは、壁開口部が流体の漏出を可能にすることなく壁を貫通して前記チャンバを露呈するために壁を貫通して延在する状態で実施される、前記[２０９]に記載の方法。
[３６６]
前記提供ステップは、前記壁開口部が前記唇状部内で間隙を形成する状態で実施される、前記[３６５]に記載の方法。
[３６７]
前記提供ステップは、前記壁開口部が、前記中心軸の前記方向に前記唇状部から測定された長手方向寸法と前記中心軸との関係において半径方向に測定された半径方向寸法とを有する状態で実施される、前記[３６５]に記載の方法。
[３６８]
前記提供ステップは、前記エンクロージャが、前記振動素子内の前記開口部に面する側を伴う内部壁を有し、前記壁開口部の前記長手方向寸法が、前記振動素子と前記開口部に面する前記エンクロージャの前記側との間の分離の少なくとも８０％である状態で実施される、前記[３６５]に記載の方法。
[３６９]
前記提供ステップは、前記壁開口部の前記半径方向寸法が、前記唇状部の前記相当円周の１０％以下である状態で実施される、前記[３６７]に記載の方法。
[３７０]
前記提供ステップは、前記壁開口部の前記半径方向寸法が、前記唇状部の相当円周の５％以下である状態で実施される、前記[３６７]に記載の方法。
[３７１]
前記提供ステップは、前記壁開口部が前記唇状部から近位に延在し、前記壁開口部が前記唇状部から近位に延在するにつれて前記壁開口部の円周方向寸法が先細になっていく状態で実施される、前記[３６５]に記載の方法。
[３７２]
前記提供ステップは、前記開口部のテーパ付き形状が前記中心軸に沿って見た場合に前記チャンバへの入口の前記方向に配向されるように前記壁開口部へ先細になっている状態で実施される、前記[３６５]に記載の方法。
[３７３]
前記振動ステップは、流体が駆出される時点で空気が前記チャンバ内に入ることができるようにすることによって前記壁開口部が前記エンクロージャを通気しているような状態で実施される、前記[３６５]に記載の方法。
[３７４]
前記提供ステップは、前記壁が円錐台状部分を含み、前記壁開口部が、前記円錐台状部分の前記長さの少なくとも８０％にわたり前記唇状部から近位で延在している状態で実施される、前記[３６５]に記載の方法。
[３７５]
前記チャンバを包囲する前記エンクロージャの前記壁が０．００３〜０．００７インチの厚みを有する、前記[２]に記載の装置。
[３７６]
前記チャンバを包囲する前記エンクロージャの前記壁が０．００３〜０．００７インチの厚みを有する、前記[１１８]に記載の装置。
[３７７]
前記壁開口部は、前記開口部のテーパ付き形状が前記中心軸に沿って見た場合に前記チャンバへの少なくとも２つの別個の入口の前記方向に配向されるように先細になっている、前記[３４７]に記載の装置。
【手続補正２】
【補正対象書類名】特許請求の範囲
【補正対象項目名】全文
【補正方法】変更
【補正の内容】
【特許請求の範囲】
【請求項１】
目に一定量の流体を送出するための装置において：
ハウジングと；
前記ハウジング内に位置する流体エジェクタであって、複数の開口部を伴う振動素子を有し、該振動素子が流体側と送出側とを有し、前記複数の開口部が前記流体側から前記送出側まで延在している、前記振動素子が振動させられた時点で前記複数の開口部を通って前記流体側から前記送出側まで流体を駆出する流体エジェクタと；
前記振動素子の前記流体側に隣接して位置付けされ、前記振動素子と共にチャンバを形成するエンクロージャと；
を含み、
前記エンクロージャが、前記振動素子の前記流体側に隣接して位置付けされた唇状部を有する壁を含み、前記唇状部は前記複数の開口部の周囲に延在し、前記エンクロージャと前記振動素子が共に、送出されるべき一定量の流体を保持するチャンバを画定している
装置。
【請求項２】
前記エンクロージャおよび前記振動素子により形成された前記チャンバに対して流動的に結合された出口を有するポンプと；
前記ポンプに対して作動的に結合された第１のアクチュエータであって、前記第１のアクチュエータの起動が前記ポンプを活動化して、前記チャンバに前記流体量を送出させる、第１のアクチュエータと；
をさらに含む、請求項１に記載の装置。
【請求項３】
前記振動素子に作動的に結合された第２のアクチュエータをさらに含み、前記第２のアクチュエータの起動が、前記振動素子を振動させ、前記複数の開口部を通って前記流体を駆出させる、請求項１に記載の装置。
【請求項４】
前記エンクロージャにより画定された前記チャンバが１０〜１４マイクロリットルの最大流体量を保持するように構成されている、請求項２に記載の装置。
【請求項５】
前記唇状部が、前記振動素子の前記流体側から１５０ミクロン未満だけ離隔されている、請求項１に記載の装置。
【請求項６】
前記唇状部が、前記中心軸に沿って見た場合におおよそ少なくとも２７０度の角度にわたり、２５０ミクロン未満だけ前記振動素子の前記流体側から離隔されている、請求項１に記載の装置。
【請求項７】
前記エンクロージャが、前記チャンバを形成する流体と接触する内部表面を有し、前記内部表面は、前記流体量と接触する内部表面の少なくとも７５％が前記複数の開口部のうちの最も近いものから０．０４０インチ未満のところにあるように整形されている、請求項１に記載の装置。
【請求項８】
前記振動素子に結合された圧電素子をさらに含む、請求項１に記載の装置。
【請求項９】
前記振動素子が、前記唇状部と前記振動素子の間の平均分離距離よりも小さい最大振幅を有する、請求項１に記載の装置。
【請求項１０】
前記振動素子が、１００〜１８０ミクロンという前記流体側から前記送出側まで測定した厚みを有する、請求項１に記載の装置。
【請求項１１】
前記唇状部は、前記中心軸に沿って見た場合に前記複数の開口部のおおよそ少なくとも２７０度にわたり前記振動素子と接触し、前記エンクロージャ内に前記流体を保持する、請求項１に記載の装置。
【請求項１２】
前記唇状部が、前記振動素子に対する直接の取付具を全く有していない、請求項１に記載の装置。
【請求項１３】
前記唇状部が、ショア６０ａ未満のデュロメータを有する弾力性材料でできている、請求項１に記載の装置。
【請求項１４】
前記唇状部が前記振動素子の中心軸の前記方向で前記振動素子に対して偏向されている、請求項１に記載の装置。
【請求項１５】
前記唇状部が、前記振動素子の中心軸の前記方向で測定された３ｇｒａｍ−ｆ以下の力を前記振動素子上に加える、請求項１に記載の装置。
【請求項１６】
前記振動素子に対して前記唇状部を偏向させるための機構をさらに含む、請求項１に記載の装置。
【請求項１７】
前記唇状部および前記振動素子が互いに隣接して、前記複数の開口部を取巻く閉ループに沿って流体が間を通過するのを防いでいる、請求項１に記載の装置。
【請求項１８】
前記唇状部が、前記振動素子の中心軸に沿って見た場合に前記複数の開口部のおおよそ少なくとも２７０度にわたり少なくとも１２５ミクロンの分離距離だけ前記振動素子から離隔されている、請求項１に記載の装置。
【請求項１９】
前記エンクロージャは、前記唇状部と前記振動素子の間および前記複数の開口部のうちの少なくともいくつかを通るもの以外には、前記開口部を通って前記流体が駆出される時に前記エンクロージャ内に空気を通気させるための通気開口部を含まない、請求項１に記載の装置。
【請求項２０】
前記エンクロージャの前記チャンバに対して流動的に結合され、前記エンクロージャの前記容積の少なくとも１５０倍である流体担持能力を有する、流体コンテナと；
１つの用量サイズのみを送出するポンプと；
をさらに含む、請求項１に記載の装置。
【請求項２１】
前記振動素子が前記唇状部の前記表面に隣接して位置付けされた取囲まれた境界を画定し、前記取囲まれた境界はこの取囲まれた境界と境を接する取囲まれた補給部域を画定し、前記振動素子内の前記開口部が、前記振動素子の送出部域を包含しこれを画定している、請求項１に記載の装置。
【請求項２２】
前記エンクロージャが側壁と流体を受入れる主入口とを有し、前記エンクロージャは同様に前記チャンバ内に流体が入るときに通る第１の入口および第２の入口を有しており、前記第１の入口および前記第２の入口は前記チャンバに通じており、両方共、前記複数の開口部に向けられる前に流体を前記エンクロージャの側壁に向けるために配向されている、請求項１に記載の装置。
【請求項２３】
前記第１の入口および前記第２の入口は、流体の少なくとも９０％を前記エンクロージャに向け、流体の１０％未満が、前記エンクロージャに向けられる前に前記振動素子に向けられる、請求項２２に記載の装置。
【請求項２４】
管腔を有する管；
をさらに含み、
前記エンクロージャが、前記管内の前記管腔に対し流動的に結合された主入口を有し、前記主入口は、分流チャンバを形成する前記エンクロージャの内壁に前記流体を向けるように配向されており、前記分流チャンバは、前記チャンバに導く少なくとも２つの別個の入口を有し、前記チャンバへの各入口が前記流体を前記エンクロージャの側壁に向けている、請求項１に記載の装置。
【請求項２５】
前記分流チャンバが、それぞれ第３の流路および第４の流路に対応する第３の入口および第４の入口を有する、請求項２４に記載の装置。
【請求項２６】
前記振動素子が、前記複数の開口部によって発出される前記噴霧パターンの中央配向によって画定される中心軸を有し；
前記エンクロージャが、前記流れを前記中心軸から３０度以内の方向に導く主入口を有し、前記エンクロージャが側壁および前記流体を受入れるため前記主入口に流動的に結合された分流チャンバを有し、前記分流チャンバが、前記主入口からの前記流体流を前記中心軸から６０〜９０度配向された少なくとも第１の入口および第２の入口へと向け直し分流する形状を有しており、前記第１の入口および前記第２の入口は、前記流体が前記複数の開口部に向けられる前に前記エンクロージャの前記側壁に向けられる、請求項１に記載の装置。
【請求項２７】
２マイクロリットル未満の容積をもつ管腔を有する管と；
前記管腔を通る流体流を許容する開放位置および前記管腔を通る流体流を防ぐ閉鎖位置を有するバルブと；
をさらに含み、
前記エンクロージャが、前記管内の前記管腔に対して流動的に結合された主入口を有する、
請求項１に記載の装置。
【請求項２８】
第１の部分と第２の部分を有するポンプをさらに含み、前記第１の部分が、最大変位で保管位置から順方向行程位置までそして逆に前記順方向行程位置から前記保管位置まで各サイクル毎に往復運動し、前記ポンプが、最大変位で保管位置から順方向行程位置までそして逆に前記保管位置まで各サイクル毎に往復運動する第２のポンプ部分も有している、請求項１に記載の装置。
【請求項２９】
前記ポンプの前記第１の部分が、前記第２の部分に向かって延在する延長部分を有し、前記第２の部分が同様に、前記第１の部分に向かって延在し前記第１の部分の前記延長部分とインタロックする延長部分を有し、前記第１の部分が前記サイクルを通して前記第２の部分を駆動している、請求項２８に記載の装置。
【請求項３０】
前記第１の部分に対し作動的に結合された第１のアクチュエータをさらに含み、前記アクチュエータが前記順方向行程を通して前記第１の部分を駆動し同様に前記順方向行程の間ポンプ戻しばねに負荷を与え、負荷されたポンプばねは、前記第１のポンプ部分および前記第２のポンプ部分を前記順方向行程位置から前記保管位置まで戻るように移動させる、請求項２８に記載の装置。
【請求項３１】
流体が、前記第１の部分の前記順方向行程中、前記第１および第２の部分の間に形成されたキャビティ内に引き込まれる、請求項２８に記載の装置。
【請求項３２】
流体が前記順方向行程中キャビティ内に引き込まれ、前記キャビティが前記第１の部分と前記第２の部分の間に形成され、前記第１および第２の部分が互いに向かっておよび互いに離れるように移動するにつれて前記キャビティのサイズが変化する、請求項２８に記載の装置。
【請求項３３】
前記ポンプが、使用中に、前記エンクロージャに対し送出される７〜１２マイクロリットルの流体量を保持するキャビティを有する、請求項２８に記載の装置。
【請求項３４】
前記チャンバ対し流動的に結合された管腔を有する管と；
前記管腔を通る流体流を許容するために開放され、前記管腔を通る流体流を遮断するために閉鎖されるバルブであって、合計下流側容積は、少なくとも前記バルブの下流側のチャンバ管および前記管腔を含む合計容積によって画定され、前記チャンバに送出される前記流体量は、前記合計下流側容積の４０％〜７０％であり得るバルブと；
をさらに含む請求項１に記載の装置。
【請求項３５】
ポンプに結合された空気補充チャンバをさらに含み、前記ポンプが、各サイクル中、前記空気補充チャンバから流体コンテナ内へと空気を強制する、請求項１に記載の装置。
【請求項３６】
前記ポンプが、前記第１の部分の前記順方向行程中前記空気補充チャンバ内に空気を引き込み、前記第１の部分の前記戻り行程中前記流体コンテナ内に空気を強制する、請求項３５に記載の装置。
【請求項３７】
アパーチャを有するシャッタであって、前記中心軸に沿って見た場合に前記複数の開口部をカバーする保管位置から、前記シャッタの前記アパーチャを通して前記中心軸から見た場合に前記複数の開口部が露呈されている送出位置まで移動可能であるシャッタと；
前記シャッタに結合されたシャッタばねであって、前記順方向行程中に前記ポンプの前記第１の部分を前記第１のアクチュエータが移動させた時点で負荷が与えられ、前記シャッタばねにより前記送出位置から前記保管位置まで戻される前記シャッタに結合されている、シャッタばねと；
をさらに含む、請求項１に記載の装置。
【請求項３８】
前記ハウジングに組付けられた制御システムをさらに含み、前記制御システムが第１のアクチュエータに結合され、前記振動素子を制御するため前記振動素子に作動的に結合されている、請求項１に記載の装置。
【請求項３９】
前記ハウジングが第１のハウジング部分と第２のハウジング部分を含み、前記第１のハウジング部分が前記第２のハウジング部分に対し取外し可能な形で結合され；前記制御システムが前記第１のハウジング部分に組付けられている、請求項１に記載の装置。
【請求項４０】
前記唇状部は、間の摩擦を削減するため前記振動素子に隣接するＰＴＦＥコーティングを有し、前記コーティングは前記振動素子の中心軸に沿って見た場合に前記唇状部のおおよそ少なくとも２７０度にわたり延在している、請求項１に記載の装置。
【請求項４１】
前記振動素子は、間の摩擦を削減するため前記唇状部に隣接するＰＴＦＥコーティングを有し、前記コーティングは、前記振動素子の中心軸に沿って見た場合におおよそ少なくとも２７０度にわたり延在している、請求項１に記載の装置。
【請求項４２】
前記エンクロージャの内側表面が、流体と接する前記内側表面の少なくとも７０％にわたり疎水性である、請求項１に記載の装置。
【請求項４３】
前記チャンバを露呈するために壁を貫通して延在する壁開口部をさらに含む、請求項１に記載の装置。
【請求項４４】
前記壁開口部が前記唇状部内で間隙を形成する、請求項４３に記載の装置。
【請求項４５】
前記壁開口部が、前記中心軸の前記方向に前記唇状部から測定された長手方向寸法と前記中心軸との関係において半径方向に測定された半径方向寸法とを有し、前記エンクロージャが、分離により前記開口部から離隔されている前記振動素子内の前記開口部に面する側を伴う内部壁を有する請求項４３に記載の装置。
【請求項４６】
前記壁開口部が、円錐台状部分を含み、前記壁開口部が前記円錐台状部分の前記長さの少なくとも８０％にわたり前記唇状部から近位に延在している、請求項４３に記載の装置。
【請求項４７】
前記壁開口部の前記長手方向寸法が、前記振動素子と前記開口部に面する前記エンクロージャの前記側との間の分離の少なくとも８０％である、請求項４５に記載の装置。
【請求項４８】
目に一定量の流体を送出する方法であって：
請求項１の装置のチャンバに一定量の流体を送出する工程と、
前記チャンバ内の前記流体が複数の開口部を通って目に向かって駆出するように、振動素子を振動させる工程と、
を含む、方法。
【請求項４９】
前記送出が、前記チャンバ内に送出されるべき流体量が７〜１２マイクロリットルで実施される、請求項４８に記載の方法。